(57)【特許請求の範囲】
【請求項１】
基地局であって、前記基地局は、プロセッサと、メモリと、トランシーバとを含み、前記メモリは、少なくとも1つの命令を記憶するように構成され、構成されるように、前記命令は、前記プロセッサによって実行され、
前記プロセッサは、同じアップリンク共有リソースをm個のユーザ機器(UE)に割り振るように構成され、m≧2であり、
前記プロセッサは、前記トランシーバを制御して前記アップリンク共有リソース上でアップリンクデータを受信するようにさらに構成され、前記アップリンクデータはUEの識別子を含み、異なるUEの識別子は前記異なるUEを表し、前記UEの識別子によって表されるUEは前記m個のUEのうちの少なくとも1つであり、
前記プロセッサは、n個のUEを決定するようにさらに構成され、前記n個のUEのアップリンクデータが、正常に受信され、m≧n≧1であり、
前記プロセッサは、フィードバック情報を生成するようにさらに構成され、前記フィードバック情報はn個の識別子を含み、異なる識別子は異なるUEを表し、
前記プロセッサは、前記トランシーバを制御し、媒体アクセス制御プロトコルデータユニット(MAC PDU)を搬送するダウンリンクリソースを指示するための情報を前記UEに送信し、前記ダウンリンクリソース上で前記MAC PDUを使用することによって前記フィードバック情報を送信するようにさらに構成される、基地局。
【請求項２】
前記プロセッサは、前記フィードバック情報を生成するように構成され、前記フィードバック情報は、有効ビットの個数と、ビットマッピングシーケンスと、前記n個の識別子と、x個のアップリンク・スケジューリング・グラントとを含み、
有効ビットの前記個数は、前記ビットマッピングシーケンス内の有効ビットの個数を指示するために使用され、
前記ビットマッピングシーケンスは、固定されたビット数を有するビットシーケンスであり、
前記ビットマッピングシーケンス内のi番目のビットが、第1の値であり、有効であるときに、これは、前記フィードバック情報中のUEのi番目の識別子の後に、固定されたビット数を有する対応するアップリンク・スケジューリング・グラントが続くことを指示するか、または前記ビットマッピングシーケンス内のi番目のビットが、第2の値であり、有効であるときに、これは、前記フィードバック情報中のUEの前記i番目の識別子の後に、固定されたビット数を有する前記対応するアップリンク・スケジューリング・グラントが続かないことを指示し、
前記第1の値は0であり、前記第2の値は1であるか、または前記第1の値は1であり、前記第2の値は0である、請求項1に記載の基地局。
【請求項３】
前記プロセッサは、前記UEに対応するMAC PDUを生成するように構成され、前記MAC PDUは、前記フィードバック情報を含み、
前記プロセッサは、指定された識別子を使用することによって制御チャネル指示情報をスクランブルするように構成され、前記指定された識別子は、前記m個のUEに対応する識別子であり、前記制御チャネル指示情報は、前記MAC PDUを搬送するダウンリンクリソースのリソースロケーションを指示するために使用され、
前記プロセッサは、前記トランシーバを制御して、前記制御チャネル指示情報を前記UEに送信するように構成され、
前記プロセッサは、前記トランシーバを制御して、前記制御チャネル指示情報によって指示されるダウンリンクリソースを使用することによって前記MAC PDUを送信するように構成される、請求項1から2のいずれか一項に記載の基地局。
【請求項４】
デバイスであって、前記デバイスは、プロセッサと、メモリと、トランシーバとを含み、前記メモリは、少なくとも1つの命令を記憶するように構成され、構成されるように、前記命令は、前記プロセッサによって実行され、
前記プロセッサは、前記デバイスのアップリンク共有リソースを決定するように構成され、
前記プロセッサは、前記トランシーバを制御して、前記アップリンク共有リソースを使用することによってアップリンクデータを送信するようにさらに構成され、前記アップリンクデータは前記デバイスの識別子を含み、
前記プロセッサは、前記トランシーバを制御し、媒体アクセス制御プロトコルデータユニット(MAC PDU)を搬送するダウンリンクリソースを指示するための情報を受信し、前記ダウンリンクリソース上で前記MAC PDUを使用することによってフィードバック情報を受信するようにさらに構成され、前記フィードバック情報はn個の識別子を含み、前記n個の識別子のうちの異なる識別子は異なるデバイスを表し、前記識別子はn個のデバイスのアップリンクデータが基地局によって正常に受信されたことを指示し、n≧1である、デバイス。
【請求項５】
前記プロセッサは、前記フィードバック情報から有効ビットの個数およびビットマッピングシーケンスを読み出すようにさらに構成され、有効ビットの前記個数は、前記ビットマッピングシーケンス内の有効ビットの個数を指示するために使用され、前記ビットマッピングシーケンスは、固定されたビット数を有するビットシーケンスであり、
前記プロセッサは、前記ビットマッピングシーケンス内のi番目のビットが、第1の値であり、有効であるときに、前記フィードバック情報からi番目の識別子および対応するアップリンク・スケジューリング・グラントを読み出すようにさらに構成され、
前記プロセッサは、前記i番目の識別子が前記デバイスの識別子であるかどうかを検出するようにさらに構成され、
前記プロセッサは、前記i番目の識別子が前記デバイスの識別子であるときに、前記トランシーバを制御して、前記アップリンク・スケジューリング・グラントに従って残っている送信されるべきデータを送信するようにさらに構成され、
前記プロセッサは、前記ビットマッピングシーケンス内のi番目のビットが、第2の値であり、有効であるときに、前記フィードバック情報から前記i番目の識別子を読み出すようにさらに構成され、
前記プロセッサは、前記i番目の識別子が前記デバイスの識別子であるかどうかを検出するようにさらに構成され、デバイスの前記i番目の識別子が前記デバイスの識別子である場合に、これは、前記基地局が前記デバイスのアップリンクデータを正常に受信したことを指示する、請求項4に記載のデバイス。
【請求項６】
前記プロセッサは、前記デバイスの識別子が前記フィードバック情報に含まれる識別子の中にないときに、すなわち、前記基地局が前記デバイスのアップリンクデータを受信することに失敗したときに、前記トランシーバを制御して、前記アップリンクデータを再送するように構成される、請求項4または5に記載のデバイス。
【請求項７】
フィードバック情報送信方法であって、前記方法は、
同じアップリンク共有リソースをm個のユーザ機器(UE)に割り振るステップであって、m≧2である、ステップと、
前記アップリンク共有リソース上でアップリンクデータを受信するステップであって、前記アップリンクデータはUEの識別子を含み、異なるUEの識別子は前記異なるUEを表し、前記UEの識別子によって表されるUEは前記m個のUEのうちの少なくとも1つである、ステップと、
n個のUEを決定するステップであって、前記n個のUEのアップリンクデータが、正常に受信され、m≧n≧1である、ステップと、
フィードバック情報を生成するステップであって、前記フィードバック情報はn個の識別子を含み、異なる識別子は異なるUEを表す、ステップと、
媒体アクセス制御プロトコルデータユニット(MAC PDU)を搬送するダウンリンクリソースを指示するための情報を前記UEに送信するステップと、
前記ダウンリンクリソース上で前記MAC PDUを使用することによって前記フィードバック情報を送信するステップとを含む、フィードバック情報送信方法。
【請求項８】
前記アップリンクデータは、前記UEのバッファステータス情報をさらに含み、前記UEのバッファステータス情報は、前記UEの残っている送信されるべきデータに関する情報を指示するために使用され、
フィードバック情報を生成する前記ステップは、
復号を用いて前記UEの識別子および前記UEのバッファステータス情報を取得するステップと、
前記UEのアップリンク・スケジューリング・グラントを生成するステップであって、前記UEのアップリンク・スケジューリング・グラントは、前記UEのバッファステータス情報に従って生成される、ステップと、
前記フィードバック情報を生成するステップであって、前記フィードバック情報は、前記n個の識別子と、前記UEに対応するアップリンク・スケジューリング・グラントとを含む、ステップとを含む、請求項7に記載の方法。
【請求項９】
x個の前記アップリンクデータは、前記UEのバッファステータス情報を含み、n>x≧1であり、前記UEのバッファステータス情報は、残っている送信されるべきデータに関する情報を指示するために使用され、
フィードバック情報を生成する前記ステップは、
復号を用いて、前記n個のUEの識別子と、x個のUEに対応するバッファステータス情報とを取得するステップと、
前記x個のUEにそれぞれ対応するアップリンク・スケジューリング・グラントを生成するステップであって、前記x個のアップリンク・スケジューリング・グラントは、前記x個のUEのバッファステータス情報に従って生成される、ステップと、
前記フィードバック情報を生成するステップであって、前記フィードバック情報は、前記n個の識別子と、前記x個のUEに対応するアップリンク・スケジューリング・グラントとを含む、ステップとを含む、請求項7に記載の方法。
【請求項１０】
前記フィードバック情報を生成する前記ステップは、
前記フィードバック情報を生成するステップであって、前記フィードバック情報は、有効ビットの個数と、ビットマッピングシーケンスと、前記n個の識別子と、前記x個のアップリンク・スケジューリング・グラントとを含む、ステップを含み、
有効ビットの前記個数は、前記ビットマッピングシーケンス内の有効ビットの個数を指示するために使用され、
前記ビットマッピングシーケンスは、固定されたビット数を有するビットシーケンスであり、
前記ビットマッピングシーケンス内のi番目のビットが、第1の値であり、有効であるときに、これは、前記フィードバック情報中のUEのi番目の識別子の後に、固定されたビット数を有する前記対応するアップリンク・スケジューリング・グラントが続くことを指示するか、または前記ビットマッピングシーケンス内のi番目のビットが、第2の値であり、有効であるときに、これは、前記フィードバック情報中のUEの前記i番目の識別子の後に、固定されたビット数を有する前記対応するアップリンク・スケジューリング・グラントが続かないことを指示し、
前記第1の値は0であり、前記第2の値は1であるか、または前記第1の値は1であり、前記第2の値は0である、請求項9に記載の方法。
【請求項１１】
MAC PDUを使用することによって前記フィードバック情報を送信する前記ステップは、
前記UEに対応するMAC PDUを生成するステップであって、前記MAC PDUは、前記フィードバック情報を含む、ステップと、
指定された識別子を使用することによって制御チャネル指示情報をスクランブルするステップであって、前記指定された識別子は、前記m個のUEに対応する識別子であり、前記制御チャネル指示情報は、前記MAC PDUを搬送するダウンリンクリソースのリソースロケーションを指示するために使用される、ステップと、
前記制御チャネル指示情報を前記UEに送信するステップと、
前記制御チャネル指示情報によって指示される前記ダウンリンクリソースを使用することによって前記MAC PDUを送信するステップとを含む、請求項7から10のいずれか一項に記載の方法。
【請求項１２】
MAC PDUを使用することによって前記フィードバック情報を送信する前記ステップの前に、
それぞれの対応する第2の乱数を前記m個のUEに割り振るステップであって、前記第2の乱数は、前記フィードバック情報が前記UEの識別子を含まないときに、前記アップリンクデータが第1の利用可能なアップリンク共有リソース上で再送されるかどうかを、前記UEによって、決定するために使用される乱数である、ステップをさらに含む、請求項7から11のいずれか一項に記載の方法。
【請求項１３】
フィードバック情報受信方法であって、前記方法は、
ユーザ機器(UE)のアップリンク共有リソースを決定するステップと、
前記アップリンク共有リソースを使用することによってアップリンクデータを送信するステップであって、前記アップリンクデータは前記UEの識別子を含む、ステップと、
媒体アクセス制御プロトコルデータユニット(MAC PDU)を搬送するダウンリンクリソースを指示するための情報を受信するステップと、
前記ダウンリンクリソース上で前記MAC PDUを使用することによってフィードバック情報を受信するステップであって、前記フィードバック情報はn個の識別子を含み、前記n個の識別子のうちの異なる識別子は異なるUEを表し、前記識別子はn個のUEのアップリンクデータが基地局によって正常に受信されたことを指示する、ステップとを含む、フィードバック情報受信方法。
【請求項１４】
前記方法は、
前記フィードバック情報から有効ビットの個数およびビットマッピングシーケンスを読み出すステップであって、有効ビットの前記個数は、前記ビットマッピングシーケンス内の有効ビットの個数を指示するために使用され、前記ビットマッピングシーケンスは、固定されたビット数を有するビットシーケンスである、ステップと、
前記ビットマッピングシーケンス内のi番目のビットが、第1の値であり、有効であるときに、前記フィードバック情報からi番目の識別子および対応するアップリンク・スケジューリング・グラントを読み出し、前記i番目の識別子が前記UEの識別子であるかどうかを検出し、前記i番目の識別子が前記UEの識別子である場合に、前記アップリンク・スケジューリング・グラントに従って残っている送信されるべきデータを送信するか、または前記ビットマッピングシーケンス内のi番目のビットが、第2の値であり、有効であるときに、前記フィードバック情報から前記i番目の識別子を読み出し、前記i番目の識別子が前記UEの識別子であるかどうかを検出し、前記i番目の識別子が前記UEの識別子である場合に、これは、前記基地局が前記UEのアップリンクデータを正常に受信したことを指示する、ステップとをさらに含む、請求項13に記載の方法。
【請求項１５】
前記i番目の識別子が前記UEの識別子であるかどうかを検出した後に、
前記UEの識別子が前記フィードバック情報に含まれる識別子の中にない場合に、すなわち、前記基地局が前記アップリンクデータを受信することに失敗したときに、前記アップリンクデータを再送するステップをさらに含む、請求項14に記載の方法。
【請求項１６】
請求項7から15のいずれか一項に記載のステップをデバイスに実行させるプログラム。
【請求項１７】
非一時的コンピュータ可読記憶媒体であって、前記非一時的コンピュータ可読記憶媒体はプログラムを記憶し、プログラムがプロセッサによって実行されるとき、請求項7から15のいずれか一項に記載のステップが実行されることを特徴とする非一時的コンピュータ可読記憶媒体。
【発明の詳細な説明】
【技術分野】
【０００１】
本発明は、通信分野、詳細には、フィードバック情報送信装置および方法に関する。
【背景技術】
【０００２】
ユーザ機器(英語:User Equipment、略称:UE)が、アップリンクデータを発展型NodeB(英語:Evolved Node B、略称:eNB)に送信した後に、eNBは、通常、フィードバック情報をUEに送信する必要がある。
【０００３】
ロングタームエボリューション(英語:Long Term Evolution、略称:LTE)では、UEが物理アップリンク共有チャネル(英語:Physical Uplink Shared Channel、略称:PUSCH)上でアップリンク共有リソースAを使用することによってアップリンクデータをeNBに送信し、アップリンク共有リソースAがUEに対応する復調基準信号(Demodulation ReFerence Signal、DM-RS)をさらに含む場合、eNBは、UEに対応するDM-RSに従ってアップリンクデータを受信し、復号する。アップリンクデータを正しく受信し、復号した後に、eNBは、物理HARQインジケータチャネル(英語:physical HARQ indicator channel、略称:PHICH)上で、合意されたダウンリンクリソースBを使用することによって、肯定応答情報(英語:Acknowledgement、略称:ACK)をUEに送信するか、または否定応答情報(英語:Negative Acknowledgement、略称:NACK)をUEに送信する。合意されたダウンリンクリソースのリソースロケーションが、アップリンク共有リソースAのリソースロケーションおよびDM-RSに従って計算を用いて得られることがLTE通信プロトコルから知られ得る。
【０００４】
本発明を実装する過程の間、従来技術は次の欠点がある。複数のUEが、競合ベースアップリンクデータ伝送モードを使用するときに、eNBは、同じアップリンク共有リソースおよびDM-RSを複数のUEに割り振り得る。複数のUEが同じアップリンク共有リソースを使用することによってアップリンクデータをeNBに送信するときに、異なるUEが同じアップリンク共有リソースおよび同じDM-RSを使用するので競合が生じる。その結果、eNBは、合意されたダウンリンクリソースに従ってフィードバック情報を異なるUEに正しく送信することができない。
【発明の概要】
【課題を解決するための手段】
【０００５】
従来技術の問題を解決するために、本発明の実施形態は、フィードバック情報送信装置および方法、ならびにフィードバック情報受信装置および方法を提供する。
【０００６】
第1の態様によれば、本発明の一実施形態は、フィードバック情報送信装置を提供し、この装置は、
同じアップリンク共有リソースをm個のUEに割り振るように構成され、m≧2である、処理モジュールと、
アップリンクデータをアップリンク共有リソース上で受信するように構成されている、受信モジュールであって、アップリンクデータはUEの識別子を含み、異なるUEの識別子は異なるUEを表し、UEの識別子によって表されるUEはm個のUEのうちの少なくとも1つである、受信モジュールとを含み、
処理モジュールは、n個のUEを決定するようにさらに構成され、n個のUEのアップリンクデータが、正常に受信され、m≧n≧1であり、
処理モジュールは、フィードバック情報を生成するようにさらに構成され、フィードバック情報はn個の識別子を含み、異なる識別子は異なるUEを表し、
この装置は、媒体アクセス制御プロトコルデータユニットMAC PDUを使用することによってフィードバック情報を送信するように構成されている、送信モジュールを含む。
【０００７】
第1の態様の第1の可能な実装において、アップリンクデータは、UEのバッファステータス情報をさらに含み、UEのバッファステータス情報は、UEの残っている送信されるべきデータに関する情報を指示するために使用され、
処理モジュールは、復号を用いてUEの識別子およびUEのバッファステータス情報を取得するようにさらに構成され、
処理モジュールは、UEのアップリンク・スケジューリング・グラントを生成するようにさらに構成され、UEのアップリンク・スケジューリング・グラントは、UEのバッファステータス情報に従って生成され、
処理モジュールは、フィードバック情報を生成するようにさらに構成され、フィードバック情報は、n個の識別子と、UEに対応するアップリンク・スケジューリング・グラントとを含む。
【０００８】
第1の態様の第2の可能な実装において、x個のアップリンクデータは、UEのバッファステータス情報を含み、n>x≧1であり、UEのバッファステータス情報は、残っている送信されるべきデータに関する情報を指示するために使用され、
処理モジュールは、復号を用いて、n個のUEの識別子と、x個のUEに対応するバッファステータス情報とを取得するようにさらに構成され、
処理モジュールは、x個のUEにそれぞれ対応するアップリンク・スケジューリング・グラントを生成するようにさらに構成され、x個のアップリンク・スケジューリング・グラントは、x個のUEのバッファステータス情報に従って生成され、
処理モジュールは、フィードバック情報を生成するようにさらに構成され、フィードバック情報は、n個の識別子と、x個のUEに対応するアップリンク・スケジューリング・グラントとを含む。
【０００９】
第1の態様の第3の可能な実装において、y個のアップリンクデータは、UEのバッファステータス情報を含み、n≧y≧1であり、UEのバッファステータス情報は、残っている送信されるべきデータに関する情報を指示するために使用され、
処理モジュールは、復号を用いて、n個のUEの識別子と、y個のUEに対応するバッファステータス情報とを取得するようにさらに構成され、
処理モジュールは、x個のUEにそれぞれ対応するアップリンク・スケジューリング・グラントを生成するようにさらに構成され、y>x≧1であり、x個のアップリンク・スケジューリング・グラントは、現在の利用可能なアップリンクリソースを指示し、x個のアップリンク・スケジューリング・グラントは、x個のUEのバッファステータス情報に従って生成され、
処理モジュールは、フィードバック情報を生成するようにさらに構成され、フィードバック情報は、n個の識別子と、x個のUEに対応するアップリンク・スケジューリング・グラントとを含む。
【００１０】
第1の態様の第2の可能な実装または第1の態様の第3の可能な実装を参照して、第1の態様の第4の可能な実装において、処理モジュールは、フィードバック情報を生成するように構成され、フィードバック情報は、有効ビットの個数と、ビットマッピングシーケンスと、n個の識別子と、x個のアップリンク・スケジューリング・グラントとを含み、
有効ビットの個数は、ビットマッピングシーケンス内の有効ビットの個数を指示するために使用され、ビットマッピングシーケンスは、固定されたビット数を有するビットシーケンスであり、
ビットマッピングシーケンス内のi番目のビットが、第1の値であり、有効であるときに、これは、フィードバック情報中のUEのi番目の識別子の後に、固定されたビット数を有する対応するアップリンク・スケジューリング・グラントが続くことを指示するか、またはビットマッピングシーケンス内のi番目のビットが、第2の値であり、有効であるときに、これは、フィードバック情報中のUEのi番目の識別子の後に、固定されたビット数を有する対応するアップリンク・スケジューリング・グラントが続かないことを指示し、
第1の値は0であり、第2の値は1であるか、または第1の値は1であり、第2の値は0である。
【００１１】
第1の態様、第1の態様の第1の可能な実装、第1の態様の第2の可能な実装、第1の態様の第3の可能な実装、または第1の態様の第4の可能な実装を参照して、第1の態様の第5の可能な実装において、
処理モジュールは、UEに対応するMAC PDUを生成するようにさらに構成され、MAC PDUは、フィードバック情報を含み、
送信モジュールは、指定された識別子を使用することによって制御チャネル指示情報をスクランブルするようにさらに構成され、指定された識別子は、m個のUEに対応する識別子であり、制御チャネル指示情報は、MAC PDUを搬送するダウンリンクリソースのリソースロケーションを指示するために使用され、
送信モジュールは、制御チャネル指示情報をUEに送信するようにさらに構成され、
送信モジュールは、制御チャネル指示情報によって指示されるダウンリンクリソースを使用することによってMAC PDUを送信するようにさらに構成される。
【００１２】
第1の態様の第5の可能な実装を参照して、第1の態様の第6の可能な実装において、指定された識別子は、競合ベース無線ネットワーク一時識別子CB-RNTIであるか、または
指定された識別子は、伝送時間間隔無線ネットワーク識別子TTI-RNTIであり、TTI-RNTIは、アップリンク共有リソースのリソースロケーションに従って生成される。
【００１３】
第1の態様、第1の態様の第1の可能な実装、第1の態様の第2の可能な実装、第1の態様の第3の可能な実装、第1の態様の第4の可能な実装、第1の態様の第5の可能な実装、または第1の態様の第6の可能な実装を参照して、第1の態様の第7の可能な実装において、
処理モジュールは、それぞれの対応する第2の乱数をm個のUEに割り振るようにさらに構成され、第2の乱数は、フィードバック情報がUEの識別子を含まないときに、アップリンクデータが第1の利用可能なアップリンク共有リソース上で再送されるかどうかを決定するために使用される乱数である。
【００１４】
第2の態様によれば、本発明の一実施形態は、フィードバック情報送信装置を提供し、この装置は、
同じアップリンク共有リソースおよび同じ復調基準信号DM-RSをm個のユーザ機器UEに割り振るように構成され、m≧2である、処理モジュールと、
DM-RSを使用することによってアップリンクデータを受信するように構成されている、受信モジュールであって、アップリンクデータはUEの識別子を含み、異なるUEの識別子は異なるUEを表し、UEの識別子によって表されるUEはm個のUEのうちの少なくとも1つである、受信モジュールとを含み、
処理モジュールは、合意されたフィードバックロケーションを計算するようにさらに構成され、合意されたフィードバックロケーションは、アップリンク共有リソースのリソースロケーションおよびDM-RSに従って取得され、
処理モジュールは、UEのオフセットを計算するようにさらに構成され、UEのオフセットは、UEの識別子に従って取得され、
この装置は、ダウンリンクリソースのリソースロケーションで肯定応答情報ACKを送信するように構成されている、送信モジュールであって、ダウンリンクリソースのリソースロケーションは、合意されたフィードバックロケーションおよびオフセットの組合せによって指示される、送信モジュールを含む。
【００１５】
第2の態様による第1の可能な実装において、処理モジュールは、UEの識別子に対してプリセットされた算術演算を実行し、プリセットされた算術演算の結果をUEに対応するオフセットとして使用するように構成される。
【００１６】
第2の態様の第1の可能な実装を参照して、第2の態様の第2の可能な実装において、ダウンリンクリソースのリソースロケーションは、次の式
【００１７】
【数１】
0006567760.tif 000002
【００１８】
および
【００１９】
【数２】
0006567760.tif 000003
【００２０】
で示され、ここで、
【００２１】
【数３】
0006567760.tif 000004
【００２２】
は、ダウンリンクリソースが物理HARQインジケータチャネルPHICH上で属すグループのグループ番号を識別するために使用され、
【００２３】
【数４】
0006567760.tif 000005
【００２４】
は、PHICH上でグループ内のダウンリンクリソースの直交シーケンス番号を識別するために使用され、
【００２５】
【数５】
0006567760.tif 000006
【００２６】
は、UEに物理ダウンリンク制御チャネルPDCCHによって最後に指示されたDM-RSシーケンスを識別するために使用され、
【００２７】
【数６】
0006567760.tif 000007
【００２８】
は、PHICH上でのグループの数を識別するために使用され、
【００２９】
【数７】
0006567760.tif 000008
【００３０】
は、PHICHを変調するために使用される拡散率であり、f(C-RNTI)は、UEに対応するオフセットであり、ここで、
【００３１】
【数８】
0006567760.tif 000009
【００３２】
であり、ここで、
【００３３】
【数９】
0006567760.tif 000010
【００３４】
は、PUSCH伝送プロセスにおける第1のタイムスロットに対応する最低の物理リソースブロックPRBインデックスを識別するために使用される。
【００３５】
第2の態様の第2の可能な実装を参照して、第2の態様の第3の可能な実装において、処理モジュールは、UEのオフセットを計算するように構成され、ここで
f(C-RNTI)=(C-RNTI)%Mであり、Mは正の整数である。
【００３６】
第3の態様によれば、本発明の一実施形態は、フィードバック情報受信装置を提供し、この装置は、
ユーザ機器UEのアップリンク共有リソースを決定するように構成されている、処理モジュールと、
アップリンク共有リソースを使用することによってアップリンクデータを送信するように構成されている、送信モジュールであって、アップリンクデータはUEの識別子を含む、送信モジュールと、
媒体アクセス制御プロトコルデータユニットMAC PDUを使用することによってフィードバック情報を受信するように構成されている、受信モジュールであって、フィードバック情報はn個の識別子を含み、n個の識別子のうちの異なる識別子は異なるUEを表し、これらの識別子はn個のUEのアップリンクデータがeNBによって正常に受信されたことを指示し、n≧1である、受信モジュールとを含む。
【００３７】
第3の態様の第1の可能な実装において、
処理モジュールは、アップリンクデータを生成するように構成され、アップリンクデータは、UEの、識別子およびバッファステータス情報を含み、UEのバッファステータス情報は、残っている送信されるべきデータに関する情報を指示するために使用され、
送信モジュールは、アップリンクデータをeNBに送信するように構成される。
【００３８】
第3の態様の第2の可能な実装において、
処理モジュールは、フィードバック情報からi番目の識別子を読み出すようにさらに構成され、n≧i≧1であり、処理モジュールは、i番目の識別子がUEの識別子であるかどうかを検出するようにさらに構成され、i番目の識別子がUEの識別子である場合に、これは、eNBがUEのアップリンクデータを正常に受信したことを指示する。
【００３９】
第3の態様の第1の可能な実装を参照して、第3の態様の第3の可能な実装において、
処理モジュールは、フィードバック情報からi番目の識別子および対応するアップリンク・スケジューリング・グラントを読み出し、i番目の識別子がUEの識別子であるかどうかを検出するようにさらに構成され、n≧i≧1であり、
送信モジュールは、i番目の識別子がUEの識別子であるときに、アップリンク・スケジューリング・グラントに従って残っている送信されるべきデータを送信するようにさらに構成される。
【００４０】
第3の態様または第3の態様の第1の可能な実装を参照して、第3の態様の第4の可能な実装において、
処理モジュールは、フィードバック情報から有効ビットの数およびビットマッピングシーケンスを読み出すようにさらに構成され、有効ビットの個数は、ビットマッピングシーケンス内の有効ビットの個数を指示するために使用され、ビットマッピングシーケンスは、固定されたビット数を有するビットシーケンスであり、処理モジュールは、ビットマッピングシーケンス内のi番目のビットが、第1の値であり、有効であるときに、フィードバック情報からi番目の識別子および対応するアップリンク・スケジューリング・グラントを読み出し、i番目の識別子がUEの識別子であるかどうかを検出するようにさらに構成され、
送信モジュールは、i番目の識別子がUEの識別子であるときに、アップリンク・スケジューリング・グラントに従って残っている送信されるべきデータを送信するようにさらに構成され、
処理モジュールは、ビットマッピングシーケンス内のi番目のビットが、第2の値であり、有効であるときに、フィードバック情報からi番目の識別子を読み出し、i番目の識別子がUEの識別子であるかどうかを検出するようにさらに構成され、i番目の識別子がUEの識別子である場合に、これは、eNBがUEのアップリンクデータを正常に受信したことを指示する。
【００４１】
第3の態様の第2の可能な実装、第3の態様の第3の可能な実装、または第3の態様の第4の可能な実装方法を参照して、第3の第5の可能な実装において、送信モジュールは、UEの識別子がフィードバック情報に含まれる識別子の中にないときに、すなわち、eNBがUEのアップリンクデータを受信することに失敗したときに、アップリンクデータを再送するようにさらに構成される。
【００４２】
第3の態様の第5の可能な実装を参照して、第3の態様の第6の可能な実装において、
処理モジュールは、第1の利用可能なアップリンク共有リソースが存在するときに第1の乱数をランダムに生成するように構成され、
処理モジュールは、バッファから第2の乱数を読み出すように構成され、第2の乱数はeNBによって事前に割り振られ、処理モジュールは、第1の乱数と第2の乱数との間の値の関係がプリセットされた条件を満たしているかどうかを決定するように構成され、
送信モジュールは、第1の乱数と第2の乱数との間の値の関係がプリセットされた条件を満たすときに、第1の利用可能なアップリンク共有リソース上でアップリンクデータを再送するように構成され、
処理モジュールは、第1の乱数と第2の乱数との間の値の関係がプリセットされた条件を満たしていないときに、第1の乱数を再生成するように構成される。
【００４３】
第3の態様の第5の可能な実装を参照して、第3の態様の第7の可能な実装において、
処理モジュールは、ランダム・バックオフ・タイムをランダムに生成するように構成され、
送信モジュールは、ランダム・バックオフ・タイムが満了した後に第1の利用可能なアップリンク共有リソース上でアップリンクデータを再送するように構成される。
【００４４】
第3の態様、第3の態様の第1の可能な実装、第3の態様の第2の可能な実装、または第3の態様の第3の可能な実装を参照して、第3の態様の第8の可能な実装において、
受信モジュールは、制御チャネル指示情報を受信するように構成され、
受信モジュールは、指定された識別子を使用することによって制御チャネル指示情報を逆スクランブルするように構成され、指定された識別子は、m個のUEに対応する識別子であり、制御チャネル指示情報は、MAC PDUを搬送するダウンリンクリソースのリソースロケーションを指示するために使用され、
受信モジュールは、制御チャネル指示情報によって指示されるダウンリンクリソースを使用することによってMAC PDUを受信するように構成され、MAC PDUは、フィードバック情報を含む。
【００４５】
第3の態様の第8の可能な実装を参照して、第3の態様の第9の可能な実装において、指定された識別子は、競合ベース無線ネットワーク一時識別子CB-RNTIであるか、または
指定された識別子は、伝送時間間隔無線ネットワーク識別子TTI-RNTIであり、TTI-RNTIは、アップリンク共有リソースのリソースロケーションに従って生成される。
【００４６】
第4の態様によれば、本発明の一実施形態は、フィードバック情報受信装置を提供し、この装置は、
ユーザ機器UEの、アップリンク共有リソースおよび復調基準信号DM-RSを決定するように構成されている、処理モジュールと、
アップリンク共有リソースを使用することによってアップリンクデータを送信するように構成されている、送信モジュールであって、アップリンクデータは、UEの、識別子およびDM-RSを含む、送信モジュールとを含み、
処理モジュールは、合意されたフィードバックロケーションを計算するように構成され、合意されたフィードバックロケーションは、アップリンク共有リソースのリソースロケーションおよびDM-RSに従って取得され、
処理モジュールは、UEのオフセットを計算するように構成され、UEのオフセットは、UEの識別子に従って取得され、
この装置は、ダウンリンクリソースのリソースロケーションで肯定応答情報ACKを受信するように構成されている、受信モジュールであって、ダウンリンクリソースのリソースロケーションは、合意されたフィードバックロケーションおよびオフセットの組合せによって指示される、受信モジュールを含む。
【００４７】
第4の態様の第1の可能な実装において、処理モジュールは、UEの識別子に対してプリセットされた算術演算を実行し、プリセットされた算術演算の結果をUEに対応するオフセットとして使用するように構成される。
【００４８】
第4の態様の第1の可能な実装を参照して、第4の態様の第2の可能な実装において、ダウンリンクリソースのリソースロケーションは、次の式
【００４９】
【数１０】
0006567760.tif 000011
【００５０】
および
【００５１】
【数１１】
0006567760.tif 000012
【００５２】
で示され、ここで、
【００５３】
【数１２】
0006567760.tif 000013
【００５４】
は、ダウンリンクリソースが物理HARQインジケータチャネルPHICH上で属すグループのグループ番号を識別するために使用され、
【００５５】
【数１３】
0006567760.tif 000014
【００５６】
は、PHICH上でグループ内のダウンリンクリソースの直交シーケンス番号を識別するために使用され、
【００５７】
【数１４】
0006567760.tif 000015
【００５８】
は、UEに物理ダウンリンク制御チャネルPDCCHによって最後に指示されたDM-RSシーケンスを識別するために使用され、
【００５９】
【数１５】
0006567760.tif 000016
【００６０】
は、PHICH上でのグループの数を識別するために使用され、
【００６１】
【数１６】
0006567760.tif 000017
【００６２】
は、PHICHを変調するために使用される拡散率であり、f(C-RNTI)は、UEに対応するオフセットであり、ここで、
【００６３】
【数１７】
0006567760.tif 000018
【００６４】
であり、ここで、
【００６５】
【数１８】
0006567760.tif 000019
【００６６】
は、PUSCH伝送プロセスにおける第1のタイムスロットに対応する最低の物理リソースブロックPRBインデックスを識別するために使用される。
【００６７】
第4の態様の第2の可能な実装を参照して、第4の態様の第3の可能な実装において、処理モジュールは、UEのオフセットを計算するように構成され、ここで
f(C-RNTI)=(C-RNTI)%Mであり、Mは正の整数である。
【００６８】
第5の態様によれば、本発明の一実施形態は、基地局を提供し、基地局は、プロセッサと、メモリと、トランシーバとを含み、メモリは、少なくとも1つの命令を記憶するように構成され、構成されたように、命令は、プロセッサによって実行され、
プロセッサは、同じアップリンク共有リソースをm個のユーザ機器UEに割り振るように構成され、m≧2であり、
プロセッサは、トランシーバを制御してアップリンク共有リソース上でアップリンクデータを受信するようにさらに構成され、アップリンクデータはUEの識別子を含み、異なるUEの識別子は異なるUEを表し、UEの識別子によって表されるUEはm個のUEのうちの少なくとも1つであり、
プロセッサは、n個のUEを決定するようにさらに構成され、n個のUEのアップリンクデータが、正常に受信され、m≧n≧1であり、
プロセッサは、フィードバック情報を生成するようにさらに構成され、フィードバック情報はn個の識別子を含み、異なる識別子は異なるUEを表し、
プロセッサは、トランシーバを制御し、媒体アクセス制御プロトコルデータユニットMAC PDUを使用することによってフィードバック情報を送信するようにさらに構成される。
【００６９】
第5の態様の第1の可能な実装において、アップリンクデータは、UEのバッファステータス情報をさらに含み、UEのバッファステータス情報は、残っている送信されるべきデータに関する情報を指示するために使用され、
プロセッサは、復号を用いてUEの識別子およびUEのバッファステータス情報を取得するように構成され、
プロセッサは、UEのアップリンク・スケジューリング・グラントを生成するように構成され、UEのアップリンク・スケジューリング・グラントは、UEのバッファステータス情報に従って生成され、
プロセッサは、フィードバック情報を生成するように構成され、フィードバック情報は、n個の識別子と、UEに対応するアップリンク・スケジューリング・グラントとを含む。
【００７０】
第5の態様の第2の可能な実装において、x個のアップリンクデータは、UEのバッファステータス情報を含み、n>x≧1であり、UEのバッファステータス情報は、残っている送信されるべきデータに関する情報を指示するために使用され、
プロセッサは、復号を用いて、n個のUEの識別子と、x個のUEに対応するバッファステータス情報とを取得するように構成され、
プロセッサは、x個のUEにそれぞれ対応するアップリンク・スケジューリング・グラントを生成するように構成され、x個のアップリンク・スケジューリング・グラントは、x個のUEのバッファステータス情報に従って生成され、
プロセッサは、フィードバック情報を生成するように構成され、フィードバック情報は、n個の識別子と、x個のUEに対応するアップリンク・スケジューリング・グラントとを含む。
【００７１】
第5の態様の第3の可能な実装において、y個のアップリンクデータは、UEのバッファステータス情報を含み、n≧y≧1であり、UEのバッファステータス情報は、残っている送信されるべきデータに関する情報を指示するために使用され、
プロセッサは、復号を用いて、n個のUEの識別子と、y個のUEに対応するバッファステータス情報とを取得するように構成され、
プロセッサは、x個のUEにそれぞれ対応するアップリンク・スケジューリング・グラントを生成するように構成され、y>x≧1であり、x個のアップリンク・スケジューリング・グラントは、現在の利用可能なアップリンクリソースを指示し、x個のアップリンク・スケジューリング・グラントは、x個のUEのバッファステータス情報に従って生成され、
プロセッサは、フィードバック情報を生成するように構成され、フィードバック情報は、n個の識別子と、x個のUEに対応するアップリンク・スケジューリング・グラントとを含む。
【００７２】
第5の態様の第2の可能な実装または第5の態様の第3の可能な実装を参照して、第5の態様の第4の可能な実装において、
プロセッサは、フィードバック情報を生成するように構成され、フィードバック情報は、有効ビットの個数と、ビットマッピングシーケンスと、n個の識別子と、x個のアップリンク・スケジューリング・グラントとを含み、
有効ビットの数は、ビットマッピングシーケンス内の有効ビットの個数を指示するために使用され、
ビットマッピングシーケンスは、固定されたビット数を有するビットシーケンスであり、
ビットマッピングシーケンス内のi番目のビットが、第1の値であり、有効であるときに、これは、フィードバック情報中のUEのi番目の識別子の後に、固定されたビット数を有する対応するアップリンク・スケジューリング・グラントが続くことを指示するか、またはビットマッピングシーケンス内のi番目のビットが、第2の値であり、有効であるときに、これは、フィードバック情報中のUEのi番目の識別子の後に、固定されたビット数を有する対応するアップリンク・スケジューリング・グラントが続かないことを指示し、
第1の値は0であり、第2の値は1であるか、または第1の値は1であり、第2の値は0である。
【００７３】
第5の態様、第5の態様の第1の可能な実装、第5の態様の第2の可能な実装、第5の態様の第3の可能な実装、または第5の態様の第4の可能な実装を参照して、第5の態様の第5の可能な実装において、
プロセッサは、UEに対応するMAC PDUを生成するように構成され、MAC PDUは、フィードバック情報を含み、
プロセッサは、指定された識別子を使用することによって制御チャネル指示情報をスクランブルするように構成され、指定された識別子は、m個のUEに対応する識別子であり、制御チャネル指示情報は、MAC PDUを搬送するダウンリンクリソースのリソースロケーションを指示するために使用され、
プロセッサは、トランシーバを制御して、制御チャネル指示情報をUEに送信するように構成され、
プロセッサは、トランシーバを制御して、制御チャネル指示情報によって指示されるダウンリンクリソースを使用することによってMAC PDUを送信するように構成される。
【００７４】
第5の態様の第5の可能な実装を参照して、第5の態様の第6の可能な実装において、指定された識別子は、競合ベース無線ネットワーク一時識別子CB-RNTIであるか、または
指定された識別子は、伝送時間間隔無線ネットワーク識別子TTI-RNTIであり、TTI-RNTIは、アップリンク共有リソースのリソースロケーションに従って生成される。
【００７５】
第5の態様、第5の態様の第1の可能な実装、第5の態様の第2の可能な実装、第5の態様の第3の可能な実装、第5の態様の第4の可能な実装、第5の態様の第5の可能な実装、または第5の態様の第6の可能な実装を参照して、第5の態様の第7の可能な実装において、
プロセッサは、それぞれの対応する第2の乱数をm個のUEに割り振るようにさらに構成され、第2の乱数は、フィードバック情報がUEの識別子を含まないときに、アップリンクデータが第1の利用可能なアップリンク共有リソース上で再送されるかどうかを決定するために使用される乱数である。
【００７６】
第6の態様によれば、本発明の一実施形態は、基地局を提供し、基地局は、プロセッサと、メモリと、トランシーバとを含み、メモリは、少なくとも1つの命令を記憶するように構成され、構成されたように、命令は、プロセッサによって実行され、
プロセッサは、同じアップリンク共有リソースおよび同じ復調基準信号DM-RSをm個のユーザ機器UEに割り振るように構成され、m≧2であり、
プロセッサは、トランシーバを制御して、DM-RSを使用することによってアップリンクデータを受信するようにさらに構成され、アップリンクデータはUEの識別子を含み、異なるUEの識別子は異なるUEを表し、UEの識別子によって表されるUEはm個のUEのうちの少なくとも1つであり、
プロセッサは、合意されたフィードバックロケーションを計算するようにさらに構成され、合意されたフィードバックロケーションは、アップリンク共有リソースのリソースロケーションおよびDM-RSに従って取得され、
プロセッサは、UEのオフセットを計算するようにさらに構成され、UEのオフセットは、UEの識別子に従って取得され、
プロセッサは、トランシーバを制御して、ダウンリンクリソースのリソースロケーションで肯定応答情報ACKを送信するようにさらに構成され、ダウンリンクリソースのリソースロケーションは、合意されたフィードバックロケーションおよびオフセットの組合せによって指示される。
【００７７】
第6の態様の第1の可能な実装において、
プロセッサは、UEの識別子に対してプリセットされた算術演算を実行し、プリセットされた算術演算の結果をUEに対応するオフセットとして使用するように構成される。
【００７８】
第6の態様の第1の可能な実装を参照して、第6の態様の第2の可能な実装において、ダウンリンクリソースのリソースロケーションは、次の式
【００７９】
【数１９】
0006567760.tif 000020
【００８０】
および
【００８１】
【数２０】
0006567760.tif 000021
【００８２】
で示され、ここで、
【００８３】
【数２１】
0006567760.tif 000022
【００８４】
は、ダウンリンクリソースが物理HARQインジケータチャネルPHICH上で属すグループのグループ番号を識別するために使用され、
【００８５】
【数２２】
0006567760.tif 000023
【００８６】
は、PHICH上でグループ内のダウンリンクリソースの直交シーケンス番号を識別するために使用され、
【００８７】
【数２３】
0006567760.tif 000024
【００８８】
は、UEに物理ダウンリンク制御チャネルPDCCHによって最後に指示されたDM-RSシーケンスを識別するために使用され、
【００８９】
【数２４】
0006567760.tif 000025
【００９０】
は、PHICH上でのグループの数を識別するために使用され、
【００９１】
【数２５】
0006567760.tif 000026
【００９２】
は、PHICHを変調するために使用される拡散率であり、f(C-RNTI)は、UEに対応するオフセットであり、ここで、
【００９３】
【数２６】
0006567760.tif 000027
【００９４】
であり、ここで、
【００９５】
【数２７】
0006567760.tif 000028
【００９６】
は、PUSCH伝送プロセスにおける第1のタイムスロットに対応する最低の物理リソースブロックPRBインデックスを識別するために使用される。
【００９７】
第6の態様の第2の可能な実装を参照して、第6の態様の第3の可能な実装において、
プロセッサは、UEのオフセットを計算するように構成され、ここで
f(C-RNTI)=(C-RNTI)%Mであり、Mは正の整数である。
【００９８】
第7の態様によれば、本発明の一実施形態は、UEを提供し、UEは、プロセッサと、メモリと、トランシーバとを含み、メモリは、少なくとも1つの命令を記憶するように構成され、構成されたように、命令は、プロセッサによって実行され、
プロセッサは、ユーザ機器UEのアップリンク共有リソースを決定するように構成され、アップリンク共有リソースは、他のm-1個のUEのアップリンク共有リソースと同じであり、m≧2であり、
プロセッサは、トランシーバを制御して、アップリンク共有リソースを使用することによってアップリンクデータを送信するようにさらに構成され、アップリンクデータはUEの識別子を含み、
プロセッサは、トランシーバを制御し、媒体アクセス制御プロトコルデータユニットMAC PDUを使用することによってフィードバック情報を受信するようにさらに構成され、フィードバック情報はn個の識別子を含み、n個の識別子のうちの異なる識別子は異なるUEを表し、これらの識別子はn個のUEのアップリンクデータがeNBによって正常に受信されたことを指示し、m≧n≧1である。
【００９９】
第7の態様の第1の可能な実装において、プロセッサは、アップリンクデータを生成するように構成され、アップリンクデータは、UEの、識別子およびバッファステータス情報を含み、UEのバッファステータス情報は、残っている送信されるべきデータに関する情報を指示するために使用され、プロセッサは、トランシーバを制御して、アップリンクデータをeNBに送信するように構成される。
【０１００】
第7の態様の第2の可能な実装において、プロセッサは、フィードバック情報からi番目の識別子を読み出すようにさらに構成され、n≧i≧1であり、
プロセッサは、i番目の識別子がUEの識別子であるかどうかを検出するようにさらに構成され、i番目の識別子がUEの識別子である場合に、これは、eNBがUEのアップリンクデータを正常に受信したことを指示する。
【０１０１】
第7の態様の第1の可能な実装を参照して、第7の態様の第3の可能な実装において、プロセッサは、フィードバック情報からi番目の識別子および対応するアップリンク・スケジューリング・グラントを読み出すようにさらに構成され、
プロセッサは、i番目の識別子がUEの識別子であるかどうかを検出するようにさらに構成され、n≧i≧1であり、
プロセッサは、i番目の識別子がUEの識別子であるときに、トランシーバを制御して、アップリンク・スケジューリング・グラントに従って残っている送信されるべきデータを送信するようにさらに構成される。
【０１０２】
第7の態様または第7の態様の第1の可能な実装を参照して、第7の態様の第4の可能な実装において、プロセッサは、フィードバック情報から有効ビットの個数およびビットマッピングシーケンスを読み出すようにさらに構成され、有効ビットの個数は、ビットマッピングシーケンス内の有効ビットの個数を指示するために使用され、ビットマッピングシーケンスは、固定されたビット数を有するビットシーケンスであり、
プロセッサは、ビットマッピングシーケンス内のi番目のビットが、第1の値であり、有効であるときに、フィードバック情報からi番目の識別子および対応するアップリンク・スケジューリング・グラントを読み出すようにさらに構成され、
プロセッサは、i番目の識別子がUEの識別子であるかどうかを検出するようにさらに構成され、
プロセッサは、i番目の識別子がUEの識別子であるときに、トランシーバを制御して、アップリンク・スケジューリング・グラントに従って残っている送信されるべきデータを送信するようにさらに構成され、
プロセッサは、ビットマッピングシーケンス内のi番目のビットが、第2の値であり、有効であるときに、フィードバック情報からi番目の識別子を読み出すようにさらに構成され、
プロセッサは、i番目の識別子がUEの識別子であるかどうかを検出するようにさらに構成され、UEのi番目の識別子がUEの識別子である場合に、これは、eNBがUEのアップリンクデータを正常に受信したことを指示する。
【０１０３】
第7の態様の第2の可能な実装、第7の態様の第3の可能な実装、または第7の態様の第4の可能な実装を参照して、第7の態様の第5の可能な実装において、プロセッサは、UEの識別子がフィードバック情報に含まれる識別子の中にないときに、すなわち、eNBがUEのアップリンクデータを受信することに失敗したときに、トランシーバを制御して、アップリンクデータを再送するように構成される。
【０１０４】
第7の態様の第5の可能な実装を参照して、第7の態様の第6の可能な実装において、プロセッサは、第1の利用可能なアップリンク共有リソースが存在するときに第1の乱数をランダムに生成するように構成され、
プロセッサは、バッファから第2の乱数を読み出すように構成され、第2の乱数はeNBによって事前に割り振られ、
プロセッサは、第1の乱数と第2の乱数との間の値の関係がプリセットされた条件を満たしているかどうかを決定するように構成され、
プロセッサは、第1の乱数と第2の乱数との間の値の関係がプリセットされた条件を満たすときに、トランシーバを制御して、第1の利用可能なアップリンク共有リソース上でアップリンクデータを再送するように構成され、
プロセッサは、第1の乱数と第2の乱数との間の値の関係がプリセットされた条件を満たしていないときに、第1の利用可能なアップリンク共有リソースが存在していれば第1の乱数をランダムに生成するステップを再実行するように構成される。
【０１０５】
第7の態様の第5の可能な実装を参照して、第7の態様の第7の可能な実装において、
プロセッサは、ランダム・バックオフ・タイムをランダムに生成するように構成され、
プロセッサは、トランシーバを制御して、ランダム・バックオフ・タイムが満了した後に第1の利用可能なアップリンク共有リソース上でアップリンクデータを再送するように構成される。
【０１０６】
第7の態様、第7の態様の第1の可能な実装、第7の態様の第2の可能な実装、または第7の態様の第3の可能な実装を参照して、第7の態様の第8の可能な実装において、
プロセッサは、トランシーバを制御して、制御チャネル指示情報を受信するように構成され、
プロセッサは、指定された識別子を使用することによって制御チャネル指示情報を逆スクランブルするように構成され、指定された識別子は、m個のUEに対応する識別子であり、制御チャネル指示情報は、MAC PDUを搬送するダウンリンクリソースのリソースロケーションを指示するために使用され、
プロセッサは、トランシーバを制御して、制御チャネル指示情報によって指示されるダウンリンクリソースを使用することによってMAC PDUを受信するように構成され、MAC PDUは、フィードバック情報を含む。
【０１０７】
第7の態様の第8の可能な実装を参照して、第7の態様の第9の可能な実装において、指定された識別子は、競合ベース無線ネットワーク一時識別子CB-RNTIであるか、または
指定された識別子は、伝送時間間隔無線ネットワーク識別子TTI-RNTIであり、TTI-RNTIは、アップリンク共有リソースのリソースロケーションに従って生成される。
【０１０８】
第8の態様によれば、本発明の一実施形態は、UEを提供し、UEは、プロセッサと、メモリと、トランシーバとを含み、メモリは、少なくとも1つの命令を記憶するように構成され、構成されたように、命令は、プロセッサによって実行され、
プロセッサは、ユーザ機器UEの、アップリンク共有リソースおよび復調基準信号DM-RSを決定するように構成され、アップリンク共有リソースおよびDM-RSは、eNBによってm個のユーザ機器UEに割り振られる、アップリンク共有リソースおよび同じDM-RSと同じであり、m≧2であり、
プロセッサは、トランシーバを制御して、アップリンク共有リソースを使用することによってアップリンクデータを送信するようにさらに構成され、アップリンクデータは、UEの、識別子およびDM-RSを含み、
プロセッサは、合意されたフィードバックロケーションを計算するようにさらに構成され、合意されたフィードバックロケーションは、アップリンク共有リソースのリソースロケーションおよびDM-RSに従って取得され、
プロセッサは、UEのオフセットを計算するようにさらに構成され、UEのオフセットは、UEの識別子に従って取得され、
プロセッサは、トランシーバを制御して、ダウンリンクリソースのリソースロケーションで肯定応答情報ACKを受信するようにさらに構成され、ダウンリンクリソースのリソースロケーションは、合意されたフィードバックロケーションおよびオフセットの組合せによって指示される。
【０１０９】
第8の態様の第1の可能な実装において、
プロセッサは、UEの識別子に対してプリセットされた算術演算を実行し、プリセットされた算術演算の結果をUEに対応するオフセットとして使用するように構成される。
【０１１０】
第8の態様の第1の可能な実装を参照して、第8の態様の第2の可能な実装において、ダウンリンクリソースのリソースロケーションは、次の式
【０１１１】
【数２８】
0006567760.tif 000029
【０１１２】
および
【０１１３】
【数２９】
0006567760.tif 000030
【０１１４】
で示され、ここで、
【０１１５】
【数３０】
0006567760.tif 000031
【０１１６】
は、ダウンリンクリソースが物理HARQインジケータチャネルPHICH上で属すグループのグループ番号を識別するために使用され、
【０１１７】
【数３１】
0006567760.tif 000032
【０１１８】
は、PHICH上でグループ内のダウンリンクリソースの直交シーケンス番号を識別するために使用され、
【０１１９】
【数３２】
0006567760.tif 000033
【０１２０】
は、UEに物理ダウンリンク制御チャネルPDCCHによって最後に指示されたDM-RSシーケンスを識別するために使用され、
【０１２１】
【数３３】
0006567760.tif 000034
【０１２２】
は、PHICH上でのグループの数を識別するために使用され、
【０１２３】
【数３４】
0006567760.tif 000035
【０１２４】
は、PHICHを変調するために使用される拡散率であり、f(C-RNTI)は、UEに対応するオフセットであり、ここで、
【０１２５】
【数３５】
0006567760.tif 000036
【０１２６】
であり、ここで、
【０１２７】
【数３６】
0006567760.tif 000037
【０１２８】
は、PUSCH伝送プロセスにおける第1のタイムスロットに対応する最低の物理リソースブロックPRBインデックスを識別するために使用される。
【０１２９】
第8の態様の第2の可能な実装を参照して、第8の態様の第3の可能な実装において、
プロセッサは、UEのオフセットを計算するように構成され、ここで
f(C-RNTI)=(C-RNTI)%Mであり、Mは正の整数である。
【０１３０】
第9の態様によれば、本発明の一実施形態は、フィードバック情報送信および受信システムを提供し、フィードバック情報送信および受信システムは、
eNBおよびUEを含み、
eNBは、第1の態様もしくは第1の態様の可能な実装のうちいずれか1つによるフィードバック情報送信装置を含むか、またはeNBは、第2の態様もしくは第2の態様の可能な実装のうちいずれか1つによるフィードバック情報送信装置を備えるか、またはeNBは、第5の態様もしくは第5の態様の可能な実装のうちのいずれか1つによるeNBを含むか、またはeNBは、第6の態様もしくは第6の態様の可能な実装のうちのいずれか1つによるeNBを含み、
UEは、第3の態様もしくは第3の態様の可能な実装のうちいずれか1つによるフィードバック情報受信装置を含むか、またはUEは、第4の態様もしくは第4の態様の可能な実装のうちいずれか1つによるフィードバック情報受信装置を含むか、またはUEは、第7の態様もしくは第7の態様の可能な実装のうちいずれか1つによるUEを含むか、またはUEは、第8の態様または第8の態様の可能な実装のいずれか1つによるUEを含む。
【０１３１】
第10の態様によれば、本発明の一実施形態は、フィードバック情報送信方法を提供し、この方法は、
同じアップリンク共有リソースをm個のユーザ機器UEに割り振るステップであって、m≧2である、ステップと、
アップリンク共有リソース上でアップリンクデータを受信するステップであって、アップリンクデータはUEの識別子を含み、異なるUEの識別子は異なるUEを表し、UEの識別子によって表されるUEはm個のUEのうちの少なくとも1つである、ステップと、
n個のUEを決定するステップであって、n個のUEのアップリンクデータが、正常に受信され、m≧n≧1である、ステップと、
フィードバック情報を生成するステップであって、フィードバック情報はn個の識別子を含み、異なる識別子は異なるUEを表す、ステップと、
媒体アクセス制御プロトコルデータユニットMAC PDUを使用することによってフィードバック情報を送信するステップとを含む。
【０１３２】
第10の態様の第1の可能な実装において、アップリンクデータは、UEのバッファステータス情報をさらに含み、UEのバッファステータス情報は、UEの残っている送信されるべきデータに関する情報を指示するために使用され、
フィードバック情報を生成するステップは、
復号を用いてUEの識別子およびUEのバッファステータス情報を取得するステップと、
UEのアップリンク・スケジューリング・グラントを生成するステップであって、UEのアップリンク・スケジューリング・グラントは、UEのバッファステータス情報に従って生成される、ステップと、
フィードバック情報を生成するステップであって、フィードバック情報は、n個の識別子と、UEに対応するアップリンク・スケジューリング・グラントとを含む、ステップとを含む。
【０１３３】
第10の態様の第2の可能な実装において、x個のアップリンクデータは、UEのバッファステータス情報を含み、n>x≧1であり、UEのバッファステータス情報は、残っている送信されるべきデータに関する情報を指示するために使用され、
フィードバック情報を生成するステップは、
復号を用いて、n個のUEの識別子と、x個のUEに対応するバッファステータス情報とを取得するステップと、
x個のUEにそれぞれ対応するアップリンク・スケジューリング・グラントを生成するステップであって、x個のアップリンク・スケジューリング・グラントは、x個のUEのバッファステータス情報に従って生成される、ステップと、
フィードバック情報を生成するステップであって、フィードバック情報は、n個の識別子と、x個のUEに対応するアップリンク・スケジューリング・グラントとを含む、ステップとを含む。
【０１３４】
第10の態様の第3の可能な実装において、y個のアップリンクデータは、UEのバッファステータス情報を含み、n≧y≧1であり、UEのバッファステータス情報は、残っている送信されるべきデータに関する情報を指示するために使用され、
フィードバック情報を生成するステップは、
復号を用いて、n個のUEの識別子と、y個のUEに対応するバッファステータス情報とを取得するステップと、
x個のUEにそれぞれ対応するアップリンク・スケジューリング・グラントを生成するステップであって、y>x≧1であり、x個のアップリンク・スケジューリング・グラントは、現在の利用可能なアップリンクリソースを指示し、x個のアップリンク・スケジューリング・グラントは、x個のUEのバッファステータス情報に従って生成される、ステップと、
フィードバック情報を生成するステップであって、フィードバック情報は、n個の識別子と、x個のUEに対応するアップリンク・スケジューリング・グラントとを含む、ステップとを含む。
【０１３５】
第10の態様の第2の可能な実装または第10の態様の第3の可能な実装を参照して、第10の態様の第4の可能な実装において、フィードバック情報を生成するステップは、
フィードバック情報を生成するステップであって、フィードバック情報は、有効ビットの個数と、ビットマッピングシーケンスと、n個の識別子と、x個のアップリンク・スケジューリング・グラントとを含む、ステップを含み、
有効ビットの数は、ビットマッピングシーケンス内の有効ビットの個数を指示するために使用され、
ビットマッピングシーケンスは、固定されたビット数を有するビットシーケンスであり、
ビットマッピングシーケンス内のi番目のビットが、第1の値であり、有効であるときに、これは、フィードバック情報中のUEのi番目の識別子の後に、固定されたビット数を有する対応するアップリンク・スケジューリング・グラントが続くことを指示するか、またはビットマッピングシーケンス内のi番目のビットが、第2の値であり、有効であるときに、これは、フィードバック情報中のUEのi番目の識別子の後に、固定されたビット数を有する対応するアップリンク・スケジューリング・グラントが続かないことを指示し、
第1の値は0であり、第2の値は1であるか、または第1の値は1であり、第2の値は0である。
【０１３６】
第10の態様、第10の態様の第1の可能な実装、第10の態様の第2の可能な実装、第10の態様の第3の可能な実装、または第10の態様の第4の可能な実装を参照して、第10の態様の第5の可能な実装において、MAC PDUを使用することによってフィードバック情報を送信するステップは、
UEに対応するMAC PDUを生成するステップであって、MAC PDUは、フィードバック情報を含む、ステップと、
指定された識別子を使用することによって制御チャネル指示情報をスクランブルするステップであって、指定された識別子は、m個のUEに対応する識別子であり、制御チャネル指示情報は、MAC PDUを搬送するダウンリンクリソースのリソースロケーションを指示するために使用される、ステップと、
制御チャネル指示情報をUEに送信するステップと、
制御チャネル指示情報によって指示されるダウンリンクリソースを使用することによってMAC PDUを送信するステップとを含む。
【０１３７】
第10の態様の第5の可能な実装を参照して、第10の態様の第6の可能な実装において、指定された識別子は、競合ベース無線ネットワーク一時識別子CB-RNTIであるか、または
指定された識別子は、伝送時間間隔無線ネットワーク識別子TTI-RNTIであり、TTI-RNTIは、アップリンク共有リソースのリソースロケーションに従って生成される。
【０１３８】
第10の態様、第10の態様の第1の可能な実装、第10の態様の第2の可能な実装、第10の態様の第3の可能な実装、第10の態様の第4の可能な実装、第10の態様の第5の可能な実装、または第10の態様の第6の可能な実装を参照して、第10の態様の第7の可能な実装において、MAC PDUを使用することによってフィードバック情報を送信するステップの前に、この方法は、
それぞれの対応する第2の乱数をm個のUEに割り振るステップであって、第2の乱数は、フィードバック情報がUEの識別子を含まないときに、アップリンクデータが第1の利用可能なアップリンク共有リソース上で再送されるかどうかを、UEによって、決定するために使用される乱数である、ステップをさらに含む。
【０１３９】
第11の態様によれば、本発明の一実施形態は、フィードバック情報送信方法を提供し、この方法は、
同じアップリンク共有リソースおよび同じ復調基準信号DM-RSをm個のユーザ機器UEに割り振るステップであって、m≧2である、ステップと、
DM-RSを使用することによって、アップリンクデータを受信するステップであって、アップリンクデータはUEの識別子を含み、異なるUEの識別子は異なるUEを表し、UEの識別子によって表されるUEはm個のUEのうちの少なくとも1つである、ステップと、
合意されたフィードバックロケーションを計算するステップであって、合意されたフィードバックロケーションは、アップリンク共有リソースのリソースロケーションおよびDM-RSに従って取得される、ステップと、
UEのオフセットを計算するステップであって、UEのオフセットは、UEの識別子に従って取得される、ステップと、
ダウンリンクリソースのリソースロケーションで肯定応答情報ACKを送信するステップであって、ダウンリンクリソースのリソースロケーションは、合意されたフィードバックロケーションおよびオフセットの組合せによって指示される、ステップとを含む。
【０１４０】
第11の態様の第1の可能な実装において、UEのオフセットを計算するステップは、
UEの識別子に対してプリセットされた算術演算を実行し、プリセットされた算術演算の結果をUEに対応するオフセットとして使用するステップを含む。
【０１４１】
第11の態様の第1の可能な実装を参照して、第11の態様の第2の可能な実装において、ダウンリンクリソースのリソースロケーションは、次の式
【０１４２】
【数３７】
0006567760.tif 000038
【０１４３】
および
【０１４４】
【数３８】
0006567760.tif 000039
【０１４５】
で示され、ここで、
【０１４６】
【数３９】
0006567760.tif 000040
【０１４７】
は、ダウンリンクリソースが物理HARQインジケータチャネルPHICH上で属すグループのグループ番号を識別するために使用され、
【０１４８】
【数４０】
0006567760.tif 000041
【０１４９】
は、PHICH上でグループ内のダウンリンクリソースの直交シーケンス番号を識別するために使用され、
【０１５０】
【数４１】
0006567760.tif 000042
【０１５１】
は、UEに物理ダウンリンク制御チャネルPDCCHによって最後に指示されたDM-RSシーケンスを識別するために使用され、
【０１５２】
【数４２】
0006567760.tif 000043
【０１５３】
は、PHICH上でのグループの数を識別するために使用され、
【０１５４】
【数４３】
0006567760.tif 000044
【０１５５】
は、PHICHを変調するために使用される拡散率であり、f(C-RNTI)は、UEに対応するオフセットであり、ここで、
【０１５６】
【数４４】
0006567760.tif 000045
【０１５７】
であり、ここで、
【０１５８】
【数４５】
0006567760.tif 000046
【０１５９】
は、PUSCH伝送プロセスにおける第1のタイムスロットに対応する最低の物理リソースブロックPRBインデックスを識別するために使用される。
【０１６０】
第11の態様の第2の可能な実装を参照して、第11の態様の第3の可能な実装において、UEの識別子に対してプリセットされた算術演算を実行し、プリセットされた算術演算の結果をUEに対応するオフセットとして使用するステップは、
UEのオフセットを計算するステップを含み、ここで
f(C-RNTI)=(C-RNTI)%Mであり、Mは正の整数である。
【０１６１】
第12の態様によれば、本発明の一実施形態は、フィードバック情報受信方法を提供し、この方法は、
ユーザ機器UEのアップリンク共有リソースを決定するステップと、
アップリンク共有リソースを使用することによってアップリンクデータを送信するステップであって、アップリンクデータはUEの識別子を含む、ステップと、
媒体アクセス制御プロトコルデータユニットMAC PDUを使用することによってフィードバック情報を受信するステップであって、フィードバック情報はn個の識別子を含み、n個の識別子のうちの異なる識別子は異なるUEを表し、これらの識別子はn個のUEのアップリンクデータが基地局によって正常に受信されたことを指示し、m≧n≧1である、ステップとを含む。
【０１６２】
第12の態様の第1の可能な実装において、アップリンク共有リソースを使用することによってアップリンクデータを送信するステップは、
アップリンクデータを生成するステップであって、アップリンクデータは、UEの、識別子およびバッファステータス情報を含み、UEのバッファステータス情報は、残っている送信されるべきデータに関する情報を指示するために使用される、ステップと、
アップリンクデータをeNBに送信するステップとを含む。
【０１６３】
第12の態様の第2の可能な実装において、この方法は、
フィードバック情報からi番目の識別子を読み出すステップであって、n≧i≧1である、ステップと、
i番目の識別子がUEの識別子であるかどうかを検出するステップであって、
i番目の識別子がUEの識別子である場合に、これは、eNBがUEのアップリンクデータを正常に受信したことを指示する、ステップとをさらに含む。
【０１６４】
第12の態様の第1の可能な実装を参照して、第12の態様の第3の可能な実装において、この方法は、
フィードバック情報からi番目の識別子および対応するアップリンク・スケジューリング・グラントを読み出すステップと、
n≧i≧1であるi番目の識別子がUEの識別子であるかどうかを検出するステップと、
i番目の識別子がUEの識別子である場合に、アップリンク・スケジューリング・グラントに従って残っている送信されるべきデータを送信するステップとをさらに含む。
【０１６５】
第12の態様または第12の態様の第1の可能な実装を参照して、第12の態様の第4の可能な実装において、この方法は、
フィードバック情報から有効ビットの個数およびビットマッピングシーケンスを読み出すステップであって、有効ビットの個数は、ビットマッピングシーケンス内の有効ビットの個数を指示するために使用され、ビットマッピングシーケンスは、固定されたビット数を有するビットシーケンスである、ステップと、
ビットマッピングシーケンス内のi番目のビットが、第1の値であり、有効であるときに、フィードバック情報からi番目の識別子および対応するアップリンク・スケジューリング・グラントを読み出し、i番目の識別子がUEの識別子であるかどうかを検出し、i番目の識別子がUEの識別子である場合に、アップリンク・スケジューリング・グラントに従って残っている送信されるべきデータを送信するか、またはビットマッピングシーケンス内のi番目のビットが、第2の値であり、有効であるときに、フィードバック情報からi番目の識別子を読み出し、i番目の識別子がUEの識別子であるかどうかを検出し、i番目の識別子がUEの識別子である場合に、これは、eNBがUEのアップリンクデータを正常に受信したことを指示する、ステップとをさらに含む。
【０１６６】
第12の態様の第2の可能な実装、第12の態様の第3の可能な実装、または第12の態様の第4の可能な実装を参照して、第12の態様の第5の可能な実装において、i番目の識別子がUEの識別子であるかどうかを検出するステップの後に、この方法は、
UEの識別子がフィードバック情報に含まれる識別子の中にない場合に、すなわち、eNBがアップリンクデータを受信することに失敗したときに、アップリンクデータを再送するステップをさらに含む。
【０１６７】
第12の態様の第5の可能な実装を参照して、第12の態様の第6の可能な実装において、アップリンクデータを再送するステップは、
第1の利用可能なアップリンク共有リソースが存在するときに第1の乱数をランダムに生成するステップと、
バッファから第2の乱数を読み出すステップであって、第2の乱数はeNBによって事前に割り振られる、ステップと、
第1の乱数と第2の乱数との間の値の関係がプリセットされた条件を満たしているかどうかを決定するステップと、
第1の乱数と第2の乱数との間の値の関係がプリセットされた条件を満たす場合に、第1の利用可能なアップリンク共有リソース上でアップリンクデータを再送するか、または第1の乱数と第2の乱数との間の値の関係がプリセットされた条件を満たしていない場合に、第1の利用可能なアップリンク共有リソースが存在していれば第1の乱数をランダムに生成するステップを再実行する、ステップとを含む。
【０１６８】
第12の態様の第5の可能な実装を参照して、第12の態様の第7の可能な実装において、アップリンクデータを再送するステップは、
ランダム・バックオフ・タイムをランダムに生成するステップと、
ランダム・バックオフ・タイムが満了した後に第1の利用可能なアップリンク共有リソース上でアップリンクデータを再送するステップとを含む。
【０１６９】
第12の態様、第12の態様の第1の可能な実装、第12の態様の第2の可能な実装、または第12の態様の第3の可能な実装を参照して、第12の態様の第8の可能な実装において、MAC PDUを使用することによってフィードバック情報を受信するステップは、
制御チャネル指示情報を受信するステップと、
指定された識別子を使用することによって制御チャネル指示情報を逆スクランブルするステップであって、指定された識別子は、m個のUEに対応する識別子であり、制御チャネル指示情報は、MAC PDUを搬送するダウンリンクリソースのリソースロケーションを指示するために使用される、ステップと、
制御チャネル指示情報によって指示されるダウンリンクリソースを使用することによってMAC PDUを受信するステップであって、MAC PDUは、フィードバック情報を含む、ステップとを含む。
【０１７０】
第12の態様の第8の可能な実装を参照して、第12の態様の第9の可能な実装において、指定された識別子は、競合ベース無線ネットワーク一時識別子CB-RNTIであるか、または
指定された識別子は、伝送時間間隔無線ネットワーク識別子TTI-RNTIであり、TTI-RNTIは、アップリンク共有リソースのリソースロケーションに従って生成される。
【０１７１】
第13の態様によれば、本発明の一実施形態は、フィードバック情報受信方法を提供し、この方法は、
ユーザ機器UEの、アップリンク共有リソースおよび復調基準信号DM-RSを決定するステップと、
アップリンク共有リソースを使用することによってアップリンクデータを送信するステップであって、アップリンクデータは、UEの、識別子およびDM-RSを含む、ステップと、
合意されたフィードバックロケーションを計算するステップであって、合意されたフィードバックロケーションは、アップリンク共有リソースのリソースロケーションおよびDM-RSに従って取得される、ステップと、
UEのオフセットを計算するステップであって、UEのオフセットは、UEの識別子に従って取得される、ステップと、
ダウンリンクリソースのリソースロケーションで肯定応答情報ACKを受信するステップであって、ダウンリンクリソースのリソースロケーションは、合意されたフィードバックロケーションおよびオフセットの組合せによって指示される、ステップとを含む。
【０１７２】
第13の態様の第1の可能な実装において、UEのオフセットを計算するステップは、
UEの識別子に対してプリセットされた算術演算を実行し、プリセットされた算術演算の結果をUEに対応するオフセットとして使用するステップを含む。
【０１７３】
第13の態様の第1の可能な実装を参照して、第13の態様の第2の可能な実装において、ダウンリンクリソースのリソースロケーションは、次の式
【０１７４】
【数４６】
0006567760.tif 000047
【０１７５】
および
【０１７６】
【数４７】
0006567760.tif 000048
【０１７７】
で示され、ここで、
【０１７８】
【数４８】
0006567760.tif 000049
【０１７９】
は、ダウンリンクリソースが物理HARQインジケータチャネルPHICH上で属すグループのグループ番号を識別するために使用され、
【０１８０】
【数４９】
0006567760.tif 000050
【０１８１】
は、PHICH上でグループ内のダウンリンクリソースの直交シーケンス番号を識別するために使用され、
【０１８２】
【数５０】
0006567760.tif 000051
【０１８３】
は、UEに物理ダウンリンク制御チャネルPDCCHによって最後に指示されたDM-RSシーケンスを識別するために使用され、
【０１８４】
【数５１】
0006567760.tif 000052
【０１８５】
は、PHICH上でのグループの数を識別するために使用され、
【０１８６】
【数５２】
0006567760.tif 000053
【０１８７】
は、PHICHを変調するために使用される拡散率であり、f(C-RNTI)は、UEに対応するオフセットであり、ここで、
【０１８８】
【数５３】
0006567760.tif 000054
【０１８９】
であり、ここで、
【０１９０】
【数５４】
0006567760.tif 000055
【０１９１】
は、PUSCH伝送プロセスにおける第1のタイムスロットに対応する最低の物理リソースブロックPRBインデックスを識別するために使用される。
【０１９２】
第13の態様の第2の可能な実装を参照して、第13の態様の第3の可能な実装において、
UEの識別子に対してプリセットされた算術演算を実行し、プリセットされた算術演算の結果をUEに対応するオフセットとして使用するステップが、
UEのオフセットを計算するステップを含み、ここで
f(C-RNTI)=(C-RNTI)%Mであり、Mは正の整数である。
【０１９３】
本発明の実施形態で提供される技術的解決策の有益な効果は、次のとおりである。
【０１９４】
eNBは同じアップリンク共有リソースをm個のUEに割り振り、m≧2であり、UEはアップリンク共有リソースを使用することによってアップリンクデータを送信し、eNBはアップリンク共有リソース上でアップリンクデータを受信し、アップリンクデータはUEの識別子を含み、異なるUEの識別子は異なるUEを表し、UEの識別子によって表されるUEはm個のUEのうちの少なくとも1つであり、eNBはn個のUEの正常に受信したアップリンクデータに従ってフィードバック情報を生成し、フィードバック情報はn個の識別子を含み、m≧n≧1であり、eNBはMAC PDUを使用することによってフィードバック情報を送信する。これは、複数のUEが同じアップリンク共有リソースおよびDM-RSを使用することによってアップリンクデータを送信するときにeNBが合意されたダウンリンクリソースに従ってフィードバック情報を異なるUEに正しく送信することができないという従来技術における問題を解決し、これにより、各UEはUEのアップリンクデータが正常に送信されたかどうかに関して明確である。
【０１９５】
本発明の実施形態における技術的解決策をより明確に説明するために、以下は、実施形態を説明するために要求される添付図面を簡単に説明する。明らかに、以下の説明の添付図面は、本発明のいくつかの実施形態を示しているにすぎず、当業者は、依然として創造的努力なくこれらの添付図面から他の図面を導き出し得る。
【図面の簡単な説明】
【０１９６】
【図１】本発明の一実施形態によるフィードバック情報送信装置のブロック図である。
【図２】本発明の別の実施形態によるフィードバック情報送信装置のブロック図である。
【図３】本発明の一実施形態によるフィードバック情報受信装置のブロック図である。
【図４】本発明の別の実施形態によるフィードバック情報受信装置のブロック図である。
【図５】本発明のなおも別の実施形態によるフィードバック情報受信装置のブロック図である。
【図６】本発明の一実施形態によるeNBの構造ブロック図である。
【図７】本発明の別の実施形態によるeNBの構造ブロック図である。
【図８】本発明の一実施形態によるUEの構造ブロック図である。
【図９】本発明の別の実施形態によるUEの構造ブロック図である。
【図１０】本発明の一実施形態によるフィードバック情報送信および受信システムのブロック図である。
【図１１】本発明の一実施形態によるフィードバック情報送信方法のフローチャートである。
【図１２】本発明の一実施形態によるフィードバック情報フォーマットの概略図である。
【図１３】本発明の別の実施形態によるフィードバック情報送信方法のフローチャートである。
【図１４】本発明の別の実施形態によるフィードバック情報送信方法のフローチャートである。
【図１５】本発明の別の実施形態によるフィードバック情報フォーマットの概略図である。
【図１６】本発明の別の実施形態によるフィードバック情報送信方法のフローチャートである。
【図１７】本発明の別の実施形態によるフィードバック情報フォーマットの概略図である。
【図１８】本発明の別の実施形態によるフィードバック情報送信方法のフローチャートである。
【図１９】本発明の別の実施形態によるフィードバック情報送信方法のフローチャートである。
【図２０】本発明の一実施形態によるアップリンクデータ再送方法のフローチャートである。
【図２１】本発明の別の実施形態によるアップリンクデータ再送方法のフローチャートである。
【発明を実施するための形態】
【０１９７】
本発明の目的、技術的解決策、および利点をより明確にするために、以下は、さらに、添付図面を参照して本発明の実装を詳細に説明する。
【０１９８】
図1を参照すると、図1は本発明の一実施形態によるフィードバック情報送信装置のブロック図を示している。フィードバック情報送信装置は、ソフトウェア、ハードウェア、またはソフトウェアとハードウェアとの組合せを使用することによってeNBの全部または一部として実装され得る。フィードバック情報送信装置は、処理モジュール110と、受信モジュール120と、送信モジュール130とを含み得る。
【０１９９】
処理モジュール110は、同じアップリンク共有リソースをm個のUEに割り振るように構成され、m≧2である。
【０２００】
受信モジュール120は、アップリンクデータをアップリンク共有リソース上で受信するように構成される。アップリンクデータはUEの識別子を含み、異なるUEの識別子は異なるUEを表し、UEの識別子によって表されるUEはm個のUEのうちの少なくとも1つである。
【０２０１】
処理モジュール110は、n個のUEを決定するようにさらに構成される。n個のUEのアップリンクデータが、正常に受信され、m≧n≧1である。
【０２０２】
eNBは、UEの識別子を含む正常に受信したアップリンクデータに従って、アップリンクデータを送信したUEを決定する。
【０２０３】
処理モジュール110は、フィードバック情報を生成するようにさらに構成される。フィードバック情報はn個の識別子を含み、異なる識別子は異なるUEを表す。
【０２０４】
送信モジュール130は、媒体層ユーザパケットデータユニット(英語:Media Access Control packet data unit、略称:MAC PDU)を使用することによってフィードバック情報を送信するように構成される。
【０２０５】
結論として、この実施形態において提供されるフィードバック情報送信装置によれば、eNBは同じアップリンク共有リソースをm個のUEに割り振り、m≧2であり、eNBはアップリンク共有リソース上でアップリンクデータを受信し、アップリンクデータはUEの識別子を含み、異なるUEの識別子は異なるUEを表し、UEの識別子によって表されるUEはm個のUEのうちの少なくとも1つであり、eNBはn個のUEの正常に受信したアップリンクデータに従ってフィードバック情報を生成し、フィードバック情報はn個の識別子を含み、m≧n≧1であり、eNBはMAC PDUを使用することによってフィードバック情報を送信する。これは、複数のUEが同じアップリンク共有リソースおよびDM-RSを使用することによってアップリンクデータを送信するときにeNBが合意されたダウンリンクリソースに従ってフィードバック情報を異なるUEに正しく送信することができないという従来技術における問題を解決し、これにより、各UEはUEのアップリンクデータが正常に送信されたかどうかに関して明確である。
【０２０６】
図1に示されている実施形態に基づき提供される任意選択の実施形態において、アップリンクデータは、UEのバッファステータス情報をさらに含み、UEのバッファステータス情報は、UEの残っている送信されるべきデータに関する情報を指示するために使用される。
【０２０７】
処理モジュール110は、復号を用いてUEの識別子およびUEのバッファステータス情報を取得するようにさらに構成される。
【０２０８】
処理モジュール110は、UEのアップリンク・スケジューリング・グラントを生成するようにさらに構成される。UEのアップリンク・スケジューリング・グラントは、UEのバッファステータス情報に従って生成される。
【０２０９】
処理モジュール110は、フィードバック情報を生成するようにさらに構成される。フィードバック情報は、n個の識別子と、UEに対応するアップリンク・スケジューリング・グラントとを含む。
【０２１０】
図1に示されている実施形態に基づき提供される任意選択の実施形態において、x個のアップリンクデータは、UEのバッファステータス情報を含み、n>x≧1であり、UEのバッファステータス情報は、残っている送信されるべきデータに関する情報を指示するために使用される。
【０２１１】
処理モジュール110は、復号を用いて、n個のUEの識別子と、x個のUEに対応するバッファステータス情報とを取得するようにさらに構成される。
【０２１２】
処理モジュール110は、x個のUEにそれぞれ対応するアップリンク・スケジューリング・グラントを生成するようにさらに構成される。x個のアップリンク・スケジューリング・グラントは、x個のUEのバッファステータス情報に従って生成される。
【０２１３】
処理モジュール110は、フィードバック情報を生成するようにさらに構成される。フィードバック情報は、n個の識別子と、x個のUEに対応するアップリンク・スケジューリング・グラントとを含む。
【０２１４】
図1に示されている実施形態に基づき提供される任意選択の実施形態において、y個のアップリンクデータは、UEのバッファステータス情報を含み、n≧y≧1であり、UEのバッファステータス情報は、残っている送信されるべきデータに関する情報を指示するために使用される。
【０２１５】
処理モジュール110は、復号を用いて、n個のUEの識別子と、y個のUEに対応するバッファステータス情報とを取得するようにさらに構成される。
【０２１６】
処理モジュール110は、x個のUEにそれぞれ対応するアップリンク・スケジューリング・グラントを生成するようにさらに構成され、y>x≧1である。x個のアップリンク・スケジューリング・グラントは、現在の利用可能なアップリンクリソースを指示し、x個のアップリンク・スケジューリング・グラントは、x個のUEのバッファステータス情報に従って生成される。
【０２１７】
処理モジュール110は、フィードバック情報を生成するようにさらに構成される。フィードバック情報は、n個の識別子と、x個のUEに対応するアップリンク・スケジューリング・グラントとを含む。
【０２１８】
図1に示されている実施形態に基づき提供される任意選択の実施形態において、
処理モジュール110は、フィードバック情報を生成するように構成される。フィードバック情報は、有効ビットの個数と、ビットマッピングシーケンスと、n個の識別子と、x個のアップリンク・スケジューリング・グラントとを含む。
【０２１９】
有効ビットの数は、ビットマッピングシーケンス内の有効ビットの個数を指示するために使用される。ビットマッピングシーケンスは、固定されたビット数を有するビットシーケンスである。
【０２２０】
ビットマッピングシーケンス内のi番目のビットが、第1の値であり、有効であるときに、これは、フィードバック情報中のi番目の識別子の後に、固定されたビット数を有する対応するアップリンク・スケジューリング・グラントが続くことを指示する。
【０２２１】
ビットマッピングシーケンス内のi番目のビットが、第2の値であり、有効であるときに、これは、フィードバック情報中のi番目の識別子の後に、固定されたビット数を有する対応するアップリンク・スケジューリング・グラントが続かないことを指示する。
【０２２２】
第1の値は0であり、第2の値は1であるか、または第1の値は1であり、第2の値は0である。
【０２２３】
図1に示されている実施形態に基づき提供される任意選択の実施形態において、
処理モジュール110は、UEに対応するMAC PDUを生成するように構成される。MAC PDUは、フィードバック情報を含む。
【０２２４】
送信モジュール130は、指定された識別子を使用することによって制御チャネル指示情報をスクランブルするように構成される。指定された識別子は、m個のUEに対応する識別子であり、制御チャネル指示情報は、MAC PDUを搬送するダウンリンクリソースのリソースロケーションを指示するために使用される。
【０２２５】
送信モジュール130は、制御チャネル指示情報をUEに送信するように構成される。
【０２２６】
送信モジュール130は、制御チャネル指示情報によって指示されるダウンリンクリソースを使用することによってMAC PDUを送信するように構成される。
【０２２７】
図1に示されている実施形態に基づき提供される任意選択の実施形態において、指定された識別子は、競合ベース無線ネットワーク一時識別子(英語:Contention based Radio Network Temporary Identifier、略称:CB-RNTI)である。
【０２２８】
代替的に、指定された識別子は、伝送時間間隔無線ネットワーク識別子(英語:Transmission Time Interval Radio Network Temporary Identifier、略称:TTI-RNTI)である。TTI-RNTIは、アップリンク共有リソースのリソースロケーションに従って生成される。
【０２２９】
図1に示されている実施形態に基づき提供される任意選択の実施形態において、
処理モジュール110は、それぞれの対応する第2の乱数をm個のUEに割り振るようにさらに構成される。第2の乱数は、フィードバック情報がUEの識別子を含まないときに、アップリンクデータが第1の利用可能なアップリンク共有リソース上で再送されるかどうかを決定するために使用される乱数である。
【０２３０】
図2を参照すると、図2は本発明の別の実施形態によるフィードバック情報送信装置のブロック図を示している。フィードバック情報送信装置は、ソフトウェア、ハードウェア、またはソフトウェアとハードウェアとの組合せを使用することによってeNBの全部または一部として実装され得る。フィードバック情報送信装置は、処理モジュール210と、受信モジュール220と、送信モジュール230とを含み得る。
【０２３１】
処理モジュール210は、同じアップリンク共有リソースおよび同じDM-RSをm個のUEに割り振るように構成され、m≧2である。
【０２３２】
受信モジュール220は、DM-RSを使用することによってアップリンクデータを受信するように構成される。アップリンクデータはUEの識別子を含み、異なるUEの識別子は異なるUEを表し、UEの識別子によって表されるUEはm個のUEのうちの少なくとも1つである。
【０２３３】
処理モジュール210は、合意されたフィードバックロケーションを計算するように構成される。合意されたフィードバックロケーションは、アップリンク共有リソースのリソースロケーションおよびDM-RSに従って取得される。
【０２３４】
この実施形態において、処理モジュール210は、UEのオフセットを計算するようにさらに構成される。UEのオフセットは、UEの識別子に従って取得される。
【０２３５】
送信モジュール230は、ダウンリンクリソースのリソースロケーションで肯定応答情報ACKを送信するように構成される。ダウンリンクリソースのリソースロケーションは、合意されたフィードバックロケーションおよびオフセットの組合せによって指示される。
【０２３６】
結論として、この実施形態において提供されるフィードバック情報送信装置によれば、eNBは同じアップリンク共有リソースおよびDM-RSをm個のUEに割り振り、eNBはDM-RSを使用することによってアップリンク共有リソース上でアップリンクデータを受信し、eNBは、アップリンク共有リソースのリソースロケーションおよびDM-RSに従って計算を用いて、合意されたフィードバックロケーションを取得し、各UEの識別子に従って計算を用いてUEに対応するオフセットを取得し、各UEについて、eNBは合意されたフィードバックロケーションとオフセットとの組合せによって指示されるダウンリンクリソース上で肯定応答情報ACKをUEに送信する。これは、複数のUEが同じアップリンク共有リソースおよびDM-RSを使用することによってアップリンクデータをeNBに同時に送信するときに、eNBが合意されたフィードバックロケーションに配置されているダウンリンクリソースを使用することによって、フィードバック情報を各UEに正しく送信することができないという従来技術における問題を解決し、これにより、各UEはUEのアップリンクデータが正常に送信されたかどうかに関して明確である。
【０２３７】
図2に示されている実施形態に基づき提供される任意選択の実施形態において、処理モジュール210は、UEの識別子に対してプリセットされた算術演算を実行し、プリセットされた算術演算の結果をUEに対応するオフセットとして使用するように構成される。
【０２３８】
図2に示されている実施形態に基づき提供される任意選択の実施形態において、ダウンリンクリソースのリソースロケーションは、次の式
【０２３９】
【数５５】
0006567760.tif 000056
【０２４０】
および
【０２４１】
【数５６】
0006567760.tif 000057
【０２４２】
で示され、ここで、
【０２４３】
【数５７】
0006567760.tif 000058
【０２４４】
は、ダウンリンクリソースがPHICH上で属すグループのグループ番号を識別するために使用され、
【０２４５】
【数５８】
0006567760.tif 000059
【０２４６】
は、PHICH上でグループ内のダウンリンクリソースの直交シーケンス番号を識別するために使用され、
【０２４７】
【数５９】
0006567760.tif 000060
【０２４８】
は、UEに物理ダウンリンク制御チャネル(英語:Physical Downlink Control Channel、略称:PDCCH)によって最後に指示されたDM-RSシーケンスを識別するために使用され、
【０２４９】
【数６０】
0006567760.tif 000061
【０２５０】
は、PHICH上でのグループの数を識別するために使用され、
【０２５１】
【数６１】
0006567760.tif 000062
【０２５２】
は、PHICHを変調するために使用される拡散率であり、f(C-RNTI)は、UEに対応するオフセットであり、ここで、
【０２５３】
【数６２】
0006567760.tif 000063
【０２５４】
であり、ここで、
【０２５５】
【数６３】
0006567760.tif 000064
【０２５６】
は、PUSCH伝送プロセスにおける第1のタイムスロットに対応する最低の物理リソースブロック(英語:Physical Resource Block、略称:PRB)インデックスを識別するために使用される。
【０２５７】
図2に示されている実施形態に基づき提供される任意選択の実施形態において、処理モジュール210は、UEのオフセットを計算するように構成され、ここで
f(C-RNTI)=(C-RNTI)%Mであり、Mは正の整数である。
【０２５８】
図3を参照すると、図3は本発明の一実施形態によるフィードバック情報受信装置のブロック図を示している。フィードバック情報受信装置は、ソフトウェア、ハードウェア、またはソフトウェアとハードウェアとの組合せを使用することによってUEの全部または一部として実装され得る。フィードバック情報受信装置は、処理モジュール310と、送信モジュール320と、受信モジュール330とを含み得る。
【０２５９】
処理モジュール310は、UEのアップリンク共有リソースを決定するように構成される。アップリンク共有リソースは、他のm-1個のUEのアップリンク共有リソースと同じであり、m≧2である。
【０２６０】
送信モジュール320は、アップリンク共有リソースを使用することによってアップリンクデータを送信するように構成される。アップリンクデータは、UEの識別子を含む。
【０２６１】
受信モジュール330は、MAC PDUを使用することによってフィードバック情報を受信するように構成される。フィードバック情報はn個の識別子を含み、n個の識別子のうちの異なる識別子は異なるUEを表し、これらの識別子はn個のUEのアップリンクデータがeNBによって正常に受信されたことを指示し、m≧n≧1である。
【０２６２】
結論として、この実施形態において提供されるフィードバック情報送信装置によれば、ユーザ機器UEのアップリンク共有リソースが決定され、アップリンク共有リソースは、他のm-1個のUEのアップリンク共有リソースと同じであり、m≧2であり、アップリンクデータは、アップリンク共有リソースを使用することによって送信され、アップリンクデータは、UEの識別子を含み、フィードバック情報は、媒体アクセス制御プロトコルデータユニットMAC PDUを使用することによって受信され、フィードバック情報はn個の識別子を含み、n個の識別子のうちの異なる識別子は異なるUEを表し、これらの識別子はn個のUEのアップリンクデータがeNBによって正常に受信されたことを指示し、m≧n≧1である。これは、複数のUEが同じアップリンク共有リソースおよびDM-RSを使用することによってアップリンクデータをeNBに同時に送信するときに、eNBが合意されたフィードバックロケーションに配置されているダウンリンクリソースを使用することによって、フィードバック情報を各UEに正しく送信することができないという従来技術における問題を解決し、これにより、各UEはUEのアップリンクデータが正常に送信されたかどうかに関して明確である。
【０２６３】
図4を参照すると、図4は本発明の別の実施形態によるフィードバック情報受信装置のブロック図を示している。フィードバック情報送信装置は、ソフトウェア、ハードウェア、またはソフトウェアとハードウェアとの組合せを使用することによってUEの全部または一部として実装され得る。フィードバック情報受信装置は、処理モジュール410と、送信モジュール420と、受信モジュール430とを含み得る。
【０２６４】
処理モジュール410は、UEのアップリンク共有リソースを決定するように構成される。アップリンク共有リソースは、他のm-1個のUEのアップリンク共有リソースと同じであり、m≧2である。
【０２６５】
送信モジュール420は、アップリンク共有リソースを使用することによってアップリンクデータを送信するように構成される。アップリンクデータは、UEの識別子を含む。
【０２６６】
受信モジュール430は、MAC PDUを使用することによってフィードバック情報を受信するように構成される。フィードバック情報はn個の識別子を含み、n個の識別子のうちの異なる識別子は異なるUEを表し、これらの識別子はn個のUEのアップリンクデータがeNBによって正常に受信されたことを指示し、m≧n≧1である。
【０２６７】
図4に示されている実施形態に基づき提供される任意選択の実施形態において、
処理モジュール410は、アップリンクデータを生成するようにさらに構成される。アップリンクデータは、UEの、識別子およびバッファステータス情報を含む。UEのバッファステータス情報は、残っている送信されるべきデータに関する情報を指示するために使用される。
【０２６８】
送信モジュール420は、アップリンクデータをeNBに送信するように構成される。
【０２６９】
図4に示されている実施形態に基づき提供される任意選択の実施形態において、この装置は以下をさらに含む。
処理モジュール410は、フィードバック情報からi番目の識別子および対応するアップリンク・スケジューリング・グラントを読み出し、i番目の識別子がUEの識別子であるかどうかを検出するようにさらに構成され、n≧i≧1である。
【０２７０】
送信モジュール420は、i番目の識別子がUEの識別子であるときに、アップリンク・スケジューリング・グラントに従って残っている送信されるべきデータを送信するようにさらに構成される。
【０２７１】
図4に示されている実施形態に基づき提供される任意選択の実施形態において、
処理モジュール410は、フィードバック情報から有効ビットの個数およびビットマッピングシーケンスを読み出すようにさらに構成され、有効ビットの個数は、ビットマッピングシーケンス内の有効ビットの個数を指示するために使用され、ビットマッピングシーケンスは、固定されたビット数を有するビットシーケンスであり、処理モジュール410は、ビットマッピングシーケンス内のi番目のビットが、第1の値であり、有効であるときに、フィードバック情報からi番目の識別子および対応するアップリンク・スケジューリング・グラントを読み出し、i番目の識別子がUEの識別子であるかどうかを検出するようにさらに構成される。
【０２７２】
送信モジュール420は、i番目の識別子がUEの識別子であるときに、アップリンク・スケジューリング・グラントに従って残っている送信されるべきデータを送信するようにさらに構成される。
【０２７３】
処理モジュール410は、ビットマッピングシーケンス内のi番目のビットが、第2の値であり、有効であるときに、フィードバック情報からi番目の識別子を読み出し、i番目の識別子がUEの識別子であるかどうかを検出するようにさらに構成される。i番目の識別子がUEの識別子である場合に、これは、eNBがUEのアップリンクデータを正常に受信したことを指示する。
【０２７４】
図4に示されている実施形態に基づき提供される任意選択の実施形態において、
送信モジュール420は、UEの識別子がフィードバック情報に含まれる識別子の中にないときに、すなわち、eNBがUEのアップリンクデータを受信することに失敗したときに、アップリンクデータを再送するようにさらに構成される。
【０２７５】
図4に示されている実施形態に基づき提供される任意選択の実施形態において、
処理モジュール410は、第1の利用可能なアップリンク共有リソースが存在するときに第1の乱数をランダムに生成するように構成される。
【０２７６】
処理モジュール410は、バッファから第2の乱数を読み出すように構成され、第2の乱数はeNBによって事前に割り振られ、処理モジュール410は、第1の乱数と第2の乱数との間の値の関係がプリセットされた条件を満たしているかどうかを決定するように構成される。
【０２７７】
送信モジュール420は、第1の乱数と第2の乱数との間の値の関係がプリセットされた条件を満たすときに、第1の利用可能なアップリンク共有リソース上でアップリンクデータを再送するように構成される。
【０２７８】
処理モジュール410は、第1の乱数と第2の乱数との間の値の関係がプリセットされた条件を満たしていないときに、第1の乱数を再生成するように構成される。
【０２７９】
図4に示されている実施形態に基づき提供される任意選択の実施形態において、
処理モジュール410は、ランダム・バックオフ・タイムをランダムに生成するように構成される。
【０２８０】
送信モジュール420は、ランダム・バックオフ・タイムが満了した後に第1の利用可能なアップリンク共有リソース上でアップリンクデータを再送するように構成される。
【０２８１】
図4に示されている実施形態に基づき提供される任意選択の実施形態において、
受信モジュール430は、制御チャネル指示情報を受信するように構成される。
【０２８２】
受信モジュール430は、指定された識別子を使用することによって制御チャネル指示情報を逆スクランブルするように構成される。指定された識別子は、m個のUEに対応する識別子であり、制御チャネル指示情報は、MAC PDUを搬送するダウンリンクリソースのリソースロケーションを指示するために使用される。
【０２８３】
受信モジュール430は、制御チャネル指示情報によって指示されるダウンリンクリソースを使用することによってMAC PDUを受信するように構成される。MAC PDUは、フィードバック情報を含む。
【０２８４】
図4に示されている実施形態に基づき提供される任意選択の実施形態において、指定された識別子は、CB-RNTIまたはTTI-RNTIである。TTI-RNTIは、アップリンク共有リソースのリソースロケーションに従って生成される。
【０２８５】
図5を参照すると、図5は本発明の一実施形態によるフィードバック情報受信装置のブロック図を示している。フィードバック情報受信装置は、ソフトウェア、ハードウェア、またはソフトウェアとハードウェアとの組合せを使用することによってUEの全部または一部として実装され得る。フィードバック情報受信装置は、処理モジュール510と、送信モジュール520と、受信モジュール530とを含み得る。
【０２８６】
処理モジュール510は、UEの、アップリンク共有リソースおよびDM-RSを決定するように構成される。アップリンク共有リソースおよびDM-RSは、eNBによってm個のUEに割り振られるアップリンク共有リソースおよびDM-RSと同じであり、m≧2である。
【０２８７】
送信モジュール520は、アップリンク共有リソースを使用することによってアップリンクデータを送信するように構成される。アップリンクデータは、UEの、識別子およびDM-RSを含む。
【０２８８】
処理モジュール510は、合意されたフィードバックロケーションを計算するようにさらに構成される。合意されたフィードバックロケーションは、アップリンク共有リソースのリソースロケーションおよびDM-RSに従って取得される。
【０２８９】
処理モジュール510は、UEのオフセットを計算するようにさらに構成される。UEのオフセットは、UEの識別子に従って取得される。
【０２９０】
受信モジュール530は、ダウンリンクリソースのリソースロケーションで肯定応答情報ACKを受信するように構成される。ダウンリンクリソースのリソースロケーションは、合意されたフィードバックロケーションおよびオフセットの組合せによって指示される。
【０２９１】
結論として、この実施形態において提供されるフィードバック情報送信装置によれば、eNBは同じアップリンク共有リソースおよびDM-RSをm個のUEに割り振り、eNBはDM-RSを使用することによってアップリンク共有リソース上でアップリンクデータを受信し、eNBは、アップリンク共有リソースのリソースロケーションおよびDM-RSに従って計算を用いて、合意されたフィードバックロケーションを取得し、各UEの識別子に従って計算を用いてUEに対応するオフセットを取得し、各UEについて、eNBは合意されたフィードバックロケーションとオフセットとの組合せによって指示されるダウンリンクリソース上で肯定応答情報ACKをUEに送信する。これは、複数のUEが同じアップリンク共有リソースおよびDM-RSを使用することによってアップリンクデータをeNBに同時に送信するときに、eNBが合意されたフィードバックロケーションに配置されているダウンリンクリソースを使用することによって、フィードバック情報を各UEに正しく送信することができないという従来技術における問題を解決し、これにより、各UEはUEのアップリンクデータが正常に送信されたかどうかに関して明確である。
【０２９２】
図5に示されている実施形態に基づき提供される任意選択の実施形態において、
処理モジュール510は、UEの識別子に対してプリセットされた算術演算を実行し、プリセットされた算術演算の結果をUEに対応するオフセットとして使用するようにさらに構成される。
【０２９３】
図5に示されている実施形態に基づき提供される任意選択の実施形態において、ダウンリンクリソースのリソースロケーションは、次の式
【０２９４】
【数６４】
0006567760.tif 000065
【０２９５】
および
【０２９６】
【数６５】
0006567760.tif 000066
【０２９７】
で示され、ここで、
【０２９８】
【数６６】
0006567760.tif 000067
【０２９９】
は、ダウンリンクリソースがPHICH上で属すグループのグループ番号を識別するために使用され、
【０３００】
【数６７】
0006567760.tif 000068
【０３０１】
は、PHICH上でグループ内のダウンリンクリソースの直交シーケンス番号を識別するために使用され、
【０３０２】
【数６８】
0006567760.tif 000069
【０３０３】
は、UEにPDCCHによって最後に指示されたDM-RSシーケンスを識別するために使用され、
【０３０４】
【数６９】
0006567760.tif 000070
【０３０５】
は、PHICH上でのグループの数を識別するために使用され、
【０３０６】
【数７０】
0006567760.tif 000071
【０３０７】
は、PHICHを変調するために使用される拡散率であり、f(C-RNTI)は、UEに対応するオフセットであり、ここで、
【０３０８】
【数７１】
0006567760.tif 000072
【０３０９】
であり、ここで、
【０３１０】
【数７２】
0006567760.tif 000073
【０３１１】
は、PUSCH伝送プロセスにおける第1のタイムスロットに対応する最低のPRBインデックスを識別するために使用される。
【０３１２】
図5に示されている実施形態に基づき提供される任意選択の実施形態において、処理モジュール510は、UEのオフセットを計算するように構成され、ここで
f(C-RNTI)=(C-RNTI)%Mであり、Mは正の整数である。
【０３１３】
図6を参照すると、図6は、本発明の一実施形態によるeNBの構造ブロック図を示している。図6に示されているように、eNB600は、バス610と、バス610を使用することによって通信を実行するプロセッサ620、メモリ630、およびトランシーバ640とを含む。メモリ630は、少なくとも1つの命令を記憶するように構成され、構成されるように、命令がプロセッサ620によって実行される。
【０３１４】
プロセッサ620は、同じアップリンク共有リソースをm個のUEに割り振るように構成され、m≧2である。
【０３１５】
プロセッサ620は、トランシーバ640を制御してアップリンク共有リソース上でアップリンクデータを受信するようにさらに構成される。アップリンクデータはUEの識別子を含み、異なるUEの識別子は異なるUEを表し、UEの識別子によって表されるUEはm個のUEのうちの少なくとも1つである。
【０３１６】
プロセッサ620は、n個のUEを決定するようにさらに構成される。n個のUEのアップリンクデータが、正常に受信され、m≧n≧1である。
【０３１７】
プロセッサ620は、フィードバック情報を生成するようにさらに構成される。フィードバック情報はn個の識別子を含み、異なる識別子は異なるUEを表す。
【０３１８】
プロセッサ620は、トランシーバ640を制御し、媒体アクセス制御プロトコルデータユニットMAC PDUを使用することによってフィードバック情報を送信するようにさらに構成される。
【０３１９】
図6に示されている実施形態に基づき提供される任意選択の実施形態において、プロセッサ620は、復号を用いてUEの識別子およびUEのバッファステータス情報を取得するように構成される。
【０３２０】
プロセッサ620は、UEのアップリンク・スケジューリング・グラントを生成するように構成される。UEのアップリンク・スケジューリング・グラントは、UEのバッファステータス情報に従って生成される。
【０３２１】
プロセッサ620は、フィードバック情報を生成するように構成される。フィードバック情報は、n個の識別子と、UEに対応するアップリンク・スケジューリング・グラントとを含む。
【０３２２】
図6に示されている実施形態に基づき提供される任意選択の実施形態において、x個のアップリンクデータは、UEのバッファステータス情報を含み、n>x≧1であり、UEのバッファステータス情報は、残っている送信されるべきデータに関する情報を指示するために使用される。
【０３２３】
プロセッサ620は、復号を用いて、n個のUEの識別子と、x個のUEに対応するバッファステータス情報とを取得するように構成される。
【０３２４】
プロセッサ620は、x個のUEにそれぞれ対応するアップリンク・スケジューリング・グラントを生成するように構成される。x個のアップリンク・スケジューリング・グラントは、x個のUEのバッファステータス情報に従って生成される。
【０３２５】
プロセッサ620は、フィードバック情報を生成するように構成される。フィードバック情報は、n個の識別子と、x個のUEに対応するアップリンク・スケジューリング・グラントとを含む。
【０３２６】
図6に示されている実施形態に基づき提供される任意選択の実施形態において、y個のアップリンクデータは、UEのバッファステータス情報を含み、n≧y≧1であり、UEのバッファステータス情報は、残っている送信されるべきデータに関する情報を指示するために使用される。
【０３２７】
プロセッサ620は、復号を用いて、n個のUEの識別子と、y個のUEに対応するバッファステータス情報とを取得するように構成される。
【０３２８】
プロセッサ620は、x個のUEにそれぞれ対応するアップリンク・スケジューリング・グラントを生成するように構成され、y>x≧1である。x個のアップリンク・スケジューリング・グラントは、現在の利用可能なアップリンクリソースを指示し、x個のアップリンク・スケジューリング・グラントがx個のUEのバッファステータス情報に従って生成される。
【０３２９】
プロセッサ620は、フィードバック情報を生成するように構成される。フィードバック情報は、n個の識別子と、x個のUEに対応するアップリンク・スケジューリング・グラントとを含む。
【０３３０】
図6に示されている実施形態に基づき提供される任意選択の実施形態において、プロセッサ620は、フィードバック情報を生成するように構成される。フィードバック情報は、有効ビットの個数と、ビットマッピングシーケンスと、n個の識別子と、x個のアップリンク・スケジューリング・グラントとを含む。
【０３３１】
有効ビットの数は、ビットマッピングシーケンス内の有効ビットの個数を指示するために使用される。
【０３３２】
ビットマッピングシーケンスは、固定されたビット数を有するビットシーケンスである。
【０３３３】
ビットマッピングシーケンス内のi番目のビットが、第1の値であり、有効であるときに、これは、フィードバック情報中のUEのi番目の識別子の後に、固定されたビット数を有する対応するアップリンク・スケジューリング・グラントが続くことを指示する。
【０３３４】
ビットマッピングシーケンス内のi番目のビットが、第2の値であり、有効であるときに、これは、フィードバック情報中のUEのi番目の識別子の後に、固定されたビット数を有する対応するアップリンク・スケジューリング・グラントが続かないことを指示する。
【０３３５】
第1の値は0であり、第2の値は1であるか、または第1の値は1であり、第2の値は0である。
【０３３６】
図6に示されている実施形態に基づき提供される任意選択の実施形態において、プロセッサ620は、UEに対応するMAC PDUを生成するように構成される。MAC PDUは、フィードバック情報を含む。
【０３３７】
プロセッサ620は、指定された識別子を使用することによって制御チャネル指示情報をスクランブルするように構成される。指定された識別子は、m個のUEに対応する識別子であり、制御チャネル指示情報は、MAC PDUを搬送するダウンリンクリソースのリソースロケーションを指示するために使用される。
【０３３８】
プロセッサ620は、トランシーバ640を制御して、制御チャネル指示情報をUEに送信するように構成される。
【０３３９】
プロセッサ620は、トランシーバ640を制御して、制御チャネル指示情報によって指示されるダウンリンクリソースを使用することによってMAC PDUを送信するように構成される。
【０３４０】
図6に示されている実施形態に基づき提供される任意選択の実施形態において、指定された識別子は、CB-RNTIまたはTTI-RNTIである。TTI-RNTIは、アップリンク共有リソースのリソースロケーションに従って生成される。
【０３４１】
図6に示されている実施形態に基づき提供される任意選択の実施形態において、プロセッサ620は、それぞれの対応する第2の乱数をm個のUEに割り振るようにさらに構成される。第2の乱数は、フィードバック情報がUEの識別子を含まないときに、アップリンクデータが第1の利用可能なアップリンク共有リソース上で再送されるかどうかを決定するために使用される乱数である。
【０３４２】
図7を参照すると、図7は、本発明の別の実施形態によるeNBの構造ブロック図を示している。図7に示されているように、eNB700は、バス710と、バス710を使用することによって通信を実行するプロセッサ720、メモリ730、およびトランシーバ740とを含む。メモリ730は、少なくとも1つの命令を記憶するように構成され、構成されるように、命令がプロセッサ720によって実行される。
【０３４３】
プロセッサ720は、同じアップリンク共有リソースおよび同じDM-RSをm個のUEに割り振るように構成され、m≧2である。
【０３４４】
プロセッサ720は、トランシーバ740を制御して、DM-RSを使用することによってアップリンクデータを受信するようにさらに構成される。アップリンクデータはUEの識別子を含み、異なるUEの識別子は異なるUEを表し、UEの識別子によって表されるUEはm個のUEのうちの少なくとも1つである。
【０３４５】
プロセッサ720は、合意されたフィードバックロケーションを計算するようにさらに構成される。合意されたフィードバックロケーションは、アップリンク共有リソースのリソースロケーションおよびDM-RSに従って取得される。
【０３４６】
プロセッサ720は、UEのオフセットを計算するようにさらに構成される。UEのオフセットは、UEの識別子に従って取得される。
【０３４７】
プロセッサ720は、トランシーバ740を制御して、ダウンリンクリソースのリソースロケーションで肯定応答情報ACKを送信するようにさらに構成される。ダウンリンクリソースのリソースロケーションは、合意されたフィードバックロケーションおよびオフセットの組合せによって指示される。
【０３４８】
図7に示されている実施形態に基づき提供される任意選択の実施形態において、プロセッサ720は、UEの識別子に対してプリセットされた算術演算を実行し、プリセットされた算術演算の結果をUEに対応するオフセットとして使用するように構成される。
【０３４９】
図7に示されている実施形態に基づき提供される任意選択の実施形態において、ダウンリンクリソースのリソースロケーションは、次の式
【０３５０】
【数７３】
0006567760.tif 000074
【０３５１】
および
【０３５２】
【数７４】
0006567760.tif 000075
【０３５３】
で示され、ここで、
【０３５４】
【数７５】
0006567760.tif 000076
【０３５５】
は、ダウンリンクリソースがPHICH上で属すグループのグループ番号を識別するために使用され、
【０３５６】
【数７６】
0006567760.tif 000077
【０３５７】
は、PHICH上でグループ内のダウンリンクリソースの直交シーケンス番号を識別するために使用され、
【０３５８】
【数７７】
0006567760.tif 000078
【０３５９】
は、UEにPDCCHによって最後に指示されたDM-RSシーケンスを識別するために使用され、
【０３６０】
【数７８】
0006567760.tif 000079
【０３６１】
は、PHICH上でのグループの数を識別するために使用され、
【０３６２】
【数７９】
0006567760.tif 000080
【０３６３】
は、PHICHを変調するために使用される拡散率であり、f(C-RNTI)は、UEに対応するオフセットであり、ここで、
【０３６４】
【数８０】
0006567760.tif 000081
【０３６５】
であり、ここで、
【０３６６】
【数８１】
0006567760.tif 000082
【０３６７】
は、PUSCH伝送プロセスにおける第1のタイムスロットに対応する最低のPRBインデックスを識別するために使用される。
【０３６８】
図7に示されている実施形態に基づき提供される任意選択の実施形態において、プロセッサ720は、UEのオフセットを計算するように構成され、ここで
f(C-RNTI)=(C-RNTI)%Mであり、Mは正の整数である。
【０３６９】
図8を参照すると、図8は、本発明の一実施形態によるUEの構造ブロック図を示している。図8に示されているように、UE800は、バス810と、バス810を使用することによって通信を実行するプロセッサ820、メモリ830、およびトランシーバ840とを含む。メモリ830は、少なくとも1つの命令を記憶するように構成され、構成されるように、命令がプロセッサ820によって実行される。
【０３７０】
プロセッサ820は、UEのアップリンク共有リソースを決定するように構成される。アップリンク共有リソースは、他のm-1個のUEのアップリンク共有リソースと同じであり、m≧2である。
【０３７１】
プロセッサ820は、トランシーバ840を制御して、アップリンク共有リソースを使用することによってアップリンクデータを送信するようにさらに構成される。アップリンクデータは、UEの識別子を含む。
【０３７２】
プロセッサ820は、トランシーバ840を制御して、MAC PDUを使用することによってフィードバック情報を受信するようにさらに構成される。フィードバック情報はn個の識別子を含み、n個の識別子のうちの異なる識別子は異なるUEを表し、これらの識別子はn個のUEのアップリンクデータがeNBによって正常に受信されたことを指示し、m≧n≧1である。
【０３７３】
図8に示されている実施形態に基づき提供される任意選択の実施形態において、
プロセッサ820は、アップリンクデータを生成するように構成される。アップリンクデータは、UEの、識別子およびバッファステータス情報を含む。UEのバッファステータス情報は、残っている送信されるべきデータに関する情報を指示するために使用される。
【０３７４】
プロセッサ820は、トランシーバ840を制御して、アップリンクデータをeNBに送信するように構成される。
【０３７５】
図8に示されている実施形態に基づき提供される任意選択の実施形態において、
プロセッサ820は、フィードバック情報からi番目の識別子を読み出すようにさらに構成され、n≧i≧1である。
【０３７６】
プロセッサ820は、i番目の識別子がUEの識別子であるかどうかを検出するようにさらに構成される。i番目の識別子がUEの識別子である場合に、これは、eNBがUEのアップリンクデータを正常に受信したことを指示する。
【０３７７】
図8に示されている実施形態に基づき提供される任意選択の実施形態において、
プロセッサ820は、フィードバック情報からi番目の識別子および対応するアップリンク・スケジューリング・グラントを読み出すようにさらに構成される。
【０３７８】
プロセッサ820は、i番目の識別子がUEの識別子であるかどうかを検出するようにさらに構成され、n≧i≧1である。
【０３７９】
プロセッサ820は、i番目の識別子がUEの識別子であるときに、トランシーバ840を制御して、アップリンク・スケジューリング・グラントに従って残っている送信されるべきデータを送信するようにさらに構成される。
【０３８０】
図8に示されている実施形態に基づき提供される任意選択の実施形態において、
プロセッサは820、フィードバック情報から有効ビットの個数およびビットマッピングシーケンスを読み出すようにさらに構成される。有効ビットの個数は、ビットマッピングシーケンス内の有効ビットの個数を指示するために使用され、ビットマッピングシーケンスは、固定されたビット数を有するビットシーケンスである。
【０３８１】
プロセッサ820は、ビットマッピングシーケンス内のi番目のビットが、第1の値であり、有効であるときに、フィードバック情報からi番目の識別子および対応するアップリンク・スケジューリング・グラントを読み出すようにさらに構成される。
【０３８２】
プロセッサ820は、i番目の識別子がUEの識別子であるかどうかを検出するようにさらに構成される。
【０３８３】
プロセッサ820は、i番目の識別子がUEの識別子であるときに、トランシーバ840を制御して、アップリンク・スケジューリング・グラントに従って残っている送信されるべきデータを送信するようにさらに構成される。
【０３８４】
プロセッサ820は、ビットマッピングシーケンス内のi番目のビットが、第2の値であり、有効であるときに、フィードバック情報からi番目の識別子を読み出すようにさらに構成される。
【０３８５】
プロセッサ820は、i番目の識別子がUEの識別子であるかどうかを検出するようにさらに構成される。
【０３８６】
UEのi番目の識別子がUEの識別子である場合に、これは、eNBがUEのアップリンクデータを正常に受信したことを指示する。
【０３８７】
図8に示されている実施形態に基づき提供される任意選択の実施形態において、プロセッサ820は、UEの識別子がフィードバック情報に含まれる識別子の中にないときに、すなわち、eNBがUEのアップリンクデータを受信することに失敗したときに、トランシーバ840を制御して、アップリンクデータを再送するように構成される。
【０３８８】
図8に示されている実施形態に基づき提供される任意選択の実施形態において、プロセッサ820は、第1の利用可能なアップリンク共有リソースが存在するときに第1の乱数をランダムに生成するように構成される。
【０３８９】
プロセッサ820は、バッファから第2の乱数を読み出すように構成される。第2の乱数は、eNBによって事前に割り振られる。
【０３９０】
プロセッサ820は、第1の乱数と第2の乱数との間の値の関係がプリセットされた条件を満たしているかどうかを決定するように構成される。
【０３９１】
プロセッサ820は、第1の乱数と第2の乱数との間の値の関係がプリセットされた条件を満たすときに、トランシーバ840を制御して、第1の利用可能なアップリンク共有リソース上でアップリンクデータを再送するように構成される。
【０３９２】
プロセッサ820は、第1の乱数と第2の乱数との間の値の関係がプリセットされた条件を満たしていないときに、第1の利用可能なアップリンク共有リソースが存在していれば第1の乱数をランダムに生成するステップを再実行するように構成される。
【０３９３】
図8に示されている実施形態に基づき提供される任意選択の実施形態において、プロセッサ820は、ランダム・バックオフ・タイムをランダムに生成するように構成される。
【０３９４】
プロセッサ820は、トランシーバ840を制御して、ランダム・バックオフ・タイムが満了した後に第1の利用可能なアップリンク共有リソース上でアップリンクデータを再送するように構成される。
【０３９５】
図8に示されている実施形態に基づき提供される任意選択の実施形態において、プロセッサ820は、トランシーバ840を制御して、制御チャネル指示情報を受信するように構成される。
【０３９６】
プロセッサ820は、指定された識別子を使用することによって制御チャネル指示情報を逆スクランブルするように構成される。指定された識別子は、m個のUEに対応する識別子であり、制御チャネル指示情報は、MAC PDUを搬送するダウンリンクリソースのリソースロケーションを指示するために使用される。
【０３９７】
プロセッサ820は、トランシーバ840を制御して、制御チャネル指示情報によって指示されるダウンリンクリソースを使用することによってMAC PDUを受信するように構成される。MAC PDUは、フィードバック情報を含む。
【０３９８】
図8に示されている実施形態に基づき提供される任意選択の実施形態において、指定された識別子は、CB-RNTIまたはTTI-RNTIである。TTI-RNTIは、アップリンク共有リソースのリソースロケーションに従って生成される。
【０３９９】
図9を参照すると、図9は、本発明の別の実施形態によるUEの構造ブロック図を示している。図9に示されているように、UE900は、バス910と、バス910を使用することによって通信を実行するプロセッサ920、メモリ930、およびトランシーバ940とを含む。メモリ930は、少なくとも1つの命令を記憶するように構成され、構成されるように、命令がプロセッサ920によって実行される。
【０４００】
プロセッサ920は、UEの、アップリンク共有リソースおよびDM-RSを決定するように構成される。アップリンク共有リソースおよびDM-RSは、eNBによってm個のユーザ機器UEに割り振られるアップリンク共有リソースおよびDM-RSと同じであり、m≧2である。
【０４０１】
プロセッサ920は、トランシーバ940を制御して、アップリンク共有リソースを使用することによってアップリンクデータを送信するようにさらに構成される。アップリンクデータは、UEの、識別子およびDM-RSを含む。
【０４０２】
プロセッサ920は、合意されたフィードバックロケーションを計算するようにさらに構成される。合意されたフィードバックロケーションは、アップリンク共有リソースのリソースロケーションおよびDM-RSに従って取得される。
【０４０３】
プロセッサ920は、UEのオフセットを計算するようにさらに構成される。UEのオフセットは、UEの識別子に従って取得される。
【０４０４】
プロセッサ920は、トランシーバ940を制御して、ダウンリンクリソースのリソースロケーションで肯定応答情報ACKを受信するようにさらに構成される。ダウンリンクリソースのリソースロケーションは、合意されたフィードバックロケーションおよびオフセットの組合せによって指示される。
【０４０５】
図9に示されている実施形態に基づき提供される任意選択の実施形態において、プロセッサ920は、
UEの識別子に対してプリセットされた算術演算を実行し、プリセットされた算術演算の結果をUEに対応するオフセットとして使用するように構成される。
【０４０６】
図9に示されている実施形態に基づき提供される任意選択の実施形態において、ダウンリンクリソースのリソースロケーションは、次の式
【０４０７】
【数８２】
0006567760.tif 000083
【０４０８】
および
【０４０９】
【数８３】
0006567760.tif 000084
【０４１０】
で示され、ここで、
【０４１１】
【数８４】
0006567760.tif 000085
【０４１２】
は、ダウンリンクリソースがPHICH上で属すグループのグループ番号を識別するために使用され、
【０４１３】
【数８５】
0006567760.tif 000086
【０４１４】
は、PHICH上でグループ内のダウンリンクリソースの直交シーケンス番号を識別するために使用され、
【０４１５】
【数８６】
0006567760.tif 000087
【０４１６】
は、UEにPDCCHによって最後に指示されたDM-RSシーケンスを識別するために使用され、
【０４１７】
【数８７】
0006567760.tif 000088
【０４１８】
は、PHICH上でのグループの数を識別するために使用され、
【０４１９】
【数８８】
0006567760.tif 000089
【０４２０】
は、PHICHを変調するために使用される拡散率であり、f(C-RNTI)は、UEに対応するオフセットであり、ここで、
【０４２１】
【数８９】
0006567760.tif 000090
【０４２２】
であり、ここで、
【０４２３】
【数９０】
0006567760.tif 000091
【０４２４】
は、PUSCH伝送プロセスにおける第1のタイムスロットに対応する最低のPRBインデックスを識別するために使用される。
【０４２５】
図9に示されている実施形態に基づき提供される任意選択の実施形態において、プロセッサ920は、UEのオフセットを計算するように構成され、ここで
f(C-RNTI)=(C-RNTI)%Mであり、Mは正の整数である。
【０４２６】
図10を参照すると、図10は、本発明の一実施形態によるフィードバック情報送信および受信システムを示している。フィードバック情報送信および受信システムは、eNB1010およびUE1020を含む。
【０４２７】
eNB1010は図1の実施形態もしくは図2の実施形態のいずれかにおいて提供されるフィードバック情報送信装置を含むか、またはeNB1010は図6の実施形態もしくは図7の実施形態のいずれかにおいて実現されるeNBを含む。
【０４２８】
UE1020は図3の実施形態、図4の実施形態、もしくは図5の実施形態のうちのいずれか1つにおいて提供されるフィードバック情報受信装置を含むか、またはUE1020は図8の実施形態もしくは図9の実施形態のいずれかにおいて提供されるUEを含む。
【０４２９】
図11を参照すると、図11は、本発明の一実施形態によるフィードバック情報送信方法のフローチャートを示している。フィードバック情報送信方法は、次のステップを含む。
【０４３０】
ステップ1101:eNBが、同じアップリンク共有リソースをm個のUEに割り振り、m≧2である。
【０４３１】
LTEでは、アップリンク共有リソースは、PUSCHチャネル上で時間周波数リソースであり、複数のUEが、データを送信するために同じアップリンク共有リソースを共有し得る。
【０４３２】
一般に、同じアップリンク共有リソースをm個のUEに割り振るときに、eNBも同じDM-RSをm個のUEに割り振る。しかしながら、この実施形態では、eNBが異なるDM-RSをm個のUEに割り振る場合であっても、この実施形態は、普通に実装できる。したがって、m個のUEが同じDM-RSを使用するかどうかは、この実施形態では限定されない。
【０４３３】
それに対応して、UEは、UEのアップリンク共有リソースを決定する。アップリンク共有リソースは、他のm-1個のUEのアップリンク共有リソースと同じであり、m≧2である。具体的には、UEは、アップリンク共有リソースに関係し、eNBによって送信される構成情報を受信し、受信した構成情報に従ってUEのアップリンク共有リソースを決定する。
【０４３４】
他の実施形態では、eNBおよびUEがアップリンク共有リソースの構成方式に関して予め合意している場合、UEは、予め合意した構成方式に従ってそれ自体でアップリンク共有リソースを決定し得る。
【０４３５】
ステップ1102:UEは、eNBによって割り振られたアップリンク共有リソースを使用することによってアップリンクデータを送信し、アップリンクデータは、UEの識別子を含む。
【０４３６】
たとえば、eNBは、同じアップリンク共有リソースを、10個のUEに割り振る。10個のUEのうちの3つのUEがそれぞれのアップリンクデータを同時に送信する必要がある場合、アップリンクデータを送信する必要がある3つのUEは、それぞれのアップリンクデータを同じアップリンク共有リソース上で同時にeNBに送信する。
【０４３７】
それに加えて、3つのUEによって送信されるアップリンクデータはすべて、対応するUEの識別子を含む。すなわち、各UEのアップリンクデータは、UEの識別子およびUEによって送信されるデータ情報を含む。UEはアップリンク共有リソース上で、UEに対応するDM-RSをさらに送信してよく、これにより、eNBはアップリンクデータを復号することができる。
【０４３８】
ステップ1103:eNBがアップリンク共有リソース上でアップリンクデータを受信し、アップリンクデータはUEの識別子を含み、異なるUEの識別子は異なるUEを表し、UEの識別子によって表されるUEはm個のUEのうちの少なくとも1つである。
【０４３９】
eNBはアップリンク共有リソース上でDM-RSを使用することによってチャネル推定を実行し、復号を用いて、チャネル推定の結果に従ってアップリンク共有リソースからアップリンクデータを取得する。アップリンクデータは、UEの識別子およびUEによって送信されるデータ情報を含む。
【０４４０】
任意選択で、この識別子は、UEのC-RNTIである。
【０４４１】
ステップ1104:n個のUEを決定し、n個のUEのアップリンクデータが、正常に受信され、m≧n≧1である。
【０４４２】
eNBは、UEの識別子を含む正常に受信したアップリンクデータに従って、アップリンクデータを送信したUEを決定する。
【０４４３】
ステップ1105:eNBがフィードバック情報を生成し、フィードバック情報はn個の識別子を含み、異なる識別子は異なるUEを表す。
【０４４４】
eNBは、UEの識別子を含む正常に受信したアップリンクデータに従って、対応する識別子を含むフィードバック情報を生成する。
【０４４５】
ステップ1106:eNBが、MAC PDUを使用することによってフィードバック情報を送信する。
【０４４６】
ステップ1107:UEが、MAC PDUを使用することによってフィードバック情報を受信し、フィードバック情報はn個の識別子を含み、n個の識別子のうちの異なる識別子は異なるUEを表し、これらの識別子はn個のUEのアップリンクデータが基地局によって正常に受信されたことを指示し、m≧n≧1である。
【０４４７】
結論として、この実施形態において提供されるフィードバック情報送信方法により、eNBは同じアップリンク共有リソースをm個のUEに割り振り、m≧2であり、eNBはアップリンク共有リソース上でUEの少なくとも1つによって送信されたアップリンクデータを受信し、各UEのアップリンクデータは、それぞれの対応するUEの識別子を含み、m≧n≧1であり、eNBはn個の正常に受信したアップリンクデータに従ってフィードバック情報を生成し、フィードバック情報はn個の識別子を含み、eNBはMAC PDUを使用することによってフィードバック情報を送信する。これは、複数のUEが同じアップリンク共有リソースおよびDM-RSを使用することによってアップリンクデータを送信するときにeNBが合意されたダウンリンクリソースに従ってフィードバック情報を異なるUEに正しく送信することができないという従来技術における問題を解決し、これにより、各UEはUEのアップリンクデータが正常に送信されたかどうかに関して明確である。
【０４４８】
図11の実施形態におけるeNBに関係するステップは、eNB側の観点からフィードバック情報送信方法として独立して実装されてよく、UE側に関係するステップは、UE側の観点からフィードバック情報受信方法として独立して実装されてよいことに留意すべきである。
【０４４９】
この実施形態におけるフィードバック情報フォーマットの概略図が図12に示されている。図12は、n個の識別子を含むフィードバック情報を示している。
【０４５０】
識別子がC-RNTIによって表される場合、C-RNTIiは、フィードバック情報中のi番目の識別子を表す。各C-RNTIは、16ビットを占有し、各Octは8ビットである。したがって、フィードバック情報中の各識別子C-RNTIは、2オクテットを占有する。
【０４５１】
図13を参照すると、図13は、本発明の一実施形態によるフィードバック情報送信方法のフローチャートを示している。フィードバック情報送信方法は、次のステップを含む。
【０４５２】
ステップ1301:eNBが、同じアップリンク共有リソースをm個のUEに割り振り、m≧2である。
【０４５３】
それに対応して、UEは、UEのアップリンク共有リソースを決定する。アップリンク共有リソースは、他のm-1個のUEのアップリンク共有リソースと同じであり、m≧2である。
【０４５４】
ステップ1302:UEが、eNBによって割り振られたアップリンク共有リソースを使用することによってアップリンクデータを送信し、アップリンクデータはUEの識別子を含む。
【０４５５】
ステップ1303:eNBがアップリンク共有リソース上でアップリンクデータを受信し、アップリンクデータはUEの識別子を含み、異なるUEの識別子は異なるUEを表し、UEの識別子によって表されるUEはm個のUEのうちの少なくとも1つである。
【０４５６】
ステップ1304:n個のUEを決定し、n個のUEのアップリンクデータが、正常に受信され、m≧n≧1である。
【０４５７】
ステップ1305:eNBがフィードバック情報を生成し、フィードバック情報はn個の識別子を含み、異なる識別子は異なるUEを表す。
【０４５８】
ステップ1301からステップ1305は、ステップ1101からステップ1105と同じであり、図11に示されている実施形態への参照が行われる。
【０４５９】
ステップ1306:eNBが、UEに対応するMAC PDUを生成し、MAC PDUは、フィードバック情報を含む。
【０４６０】
eNBは、n個の正常に受信したアップリンクデータに従って、n個の識別子を含むフィードバック情報を生成し、eNBは、n個の識別子を含むフィードバック情報を使用することによって、UEに対応するMAC PDUを生成する。MAC PDUは、フィードバック情報を含む。
【０４６１】
ステップ1307:eNBが、指定された識別子を使用することによって制御チャネル指示情報をスクランブルする。
【０４６２】
指定された識別子は、m個のUEに対応する識別子であり、制御チャネル指示情報は、MAC PDUを搬送するダウンリンクリソースのリソースロケーションを指示するために使用される。
【０４６３】
指定された識別子は、m個のUEに対応する識別子である。言い替えれば、指定された識別子は、m個のUEによって共有される識別子である。
【０４６４】
任意選択で、指定された識別子は、CB-RNTIまたはTTI-RNTIである。
【０４６５】
CB-RNTIは、競合ベースアップリンクデータ伝送モードでeNBによって事前に割り振られた識別子である。
【０４６６】
TTI-RNTIは、ステップ1302におけるアップリンク共有リソースのリソースロケーションに関係する。
【０４６７】
任意選択で、TTI-RNTI=a+suf_id+b*feq_idであり、suf_idはアップリンク共有リソースに対応するサブフレーム番号であり、feq_idはアップリンク共有リソースに対応する物理リソースブロック内の最下位ビットであり、aおよびbの両方は正の整数である。たとえば、a=1およびb=10である。
【０４６８】
制御チャネル指示情報は、PUSCHチャネル上のダウンリンクリソースのリソースロケーションを指示するために使用され、制御チャネル指示情報によって指示されるダウンリンクリソースは、MAC PDUを搬送し送信するために使用される。eNBは、PDCCHを使用することによって制御チャネル指示情報を最初に送信する。すなわち、eNBは、指定された識別子を使用することによってMAC PDUの制御チャネル指示情報をスクランブルし、PDCCHチャネルを使用することによって、スクランブルした制御チャネル指示情報をUEに送信する。
【０４６９】
ステップ1308:eNBが、制御チャネル指示情報をUEに送信する。
【０４７０】
それに対応して、UEは、eNBによって送信された制御チャネル指示情報を受信する。
【０４７１】
ステップ1309:UEが、指定された識別子を使用することによって制御チャネル指示情報を逆スクランブルする。
【０４７２】
指定された識別子は、m個のUEに対応する識別子であり、制御チャネル指示情報は、MAC PDUを搬送するダウンリンクリソースのリソースロケーションを指示するために使用される。
【０４７３】
UEは、指定された識別子を使用することによってPDCCHチャネル上で逆スクランブルを用いて、制御チャネル指示情報によって指示されるダウンリンクリソースのリソースロケーションを取得する。指定された識別子を有するUEのみが、制御チャネル指示情報を受信することができる。
【０４７４】
ステップ1310:eNBが、制御チャネル指示情報によって指示されるダウンリンクリソースを使用することによってMAC PDUを送信する。
【０４７５】
eNBは、PDCCH上で制御チャネル指示情報によって指示されるダウンリンクリソースを使用することによってMAC PDUを送信する。
【０４７６】
ステップ1311:UEが、制御チャネル指示情報によって指示されるダウンリンクリソースを使用することによってMAC PDUを受信し、MAC PDUは、フィードバック情報を含む。
【０４７７】
UEは、復号を用いてMAC PDUからフィードバック情報を取得する。
【０４７８】
ステップ1312:UEが、フィードバック情報からi番目の識別子を読み出し、n≧i≧1であり、UEが、i番目の識別子がUEの識別子であるかどうかを検出する。
【０４７９】
UEは、フィードバック情報からi番目の識別子を読み出し、n≧i≧1である。言い替えれば、UEは、毎回フィードバック情報から固定された長さを有する情報を読み出し、固定された長さを有する情報は、1つの識別子としてみなされる。任意選択で、固定された長さは、16ビットである。
【０４８０】
UEは、i番目の識別子がUEの識別子であるかどうかを検出する。
【０４８１】
i番目の識別子がUEの識別子である場合、ステップ1313に進む。i番目の識別子がUEの識別子でない場合、ステップ1314に進む。
【０４８２】
ステップ1313:i番目の識別子がUEの識別子である場合に、これは、eNBがアップリンクデータを正常に受信したことを指示する。
【０４８３】
ステップ1314:i番目の識別子がUEの識別子でない場合、iがnに等しいかどうかを決定し、i=nの場合、ステップ1315に進むか、またはiがnに等しくない場合、i=i+1をセットし、フィードバック情報からi番目の識別子を読み出すステップを再実行する。
【０４８４】
すなわち、UEは、フィードバック情報中のすべての識別子が読み出されるまでステップ1312を繰り返し実行する。
【０４８５】
ステップ1315:UEの識別子がフィードバック情報に含まれる識別子の中にない場合に、これは、eNBがアップリンクデータを受信することに失敗したことを指示し、アップリンクデータは再送される。
【０４８６】
結論として、この実施形態において提供されるフィードバック情報送信方法によれば、eNBは同じアップリンク共有リソースをm個のUEに割り振り、m≧2であり、eNBはアップリンク共有リソース上でアップリンクデータを受信し、各UEのアップリンクデータは、それぞれの対応するUEの識別子を含み、eNBはn個の正常に受信したアップリンクデータに従ってフィードバック情報を生成し、フィードバック情報はn個の識別子を含み、m≧n≧1であり、eNBはMAC PDUを使用することによってフィードバック情報を送信し、UEがフィードバック情報中に対応するUEの識別子を見つけない場合に、これは、eNBがアップリンクデータを受信することに失敗したことを指示し、アップリンクデータは異なる方法を使用することによって再送される。これは、複数のUEが同じアップリンク共有リソースおよびDM-RSを使用することによってアップリンクデータを送信するときにeNBが合意されたダウンリンクリソースに従ってフィードバック情報を異なるUEに正しく送信することができないという従来技術における問題を解決し、これにより、各UEはUEのアップリンクデータが正常に送信されたかどうかに関して明確である。
【０４８７】
図13の実施形態におけるeNBに関係するステップは、eNB側の観点からフィードバック情報送信方法として独立して実装されてよく、UE側に関係するステップは、UE側の観点からフィードバック情報受信方法として独立して実装されてよいことに留意すべきである。
【０４８８】
一般に、UEは、残っている送信されるべきデータを有する。任意選択の一実施形態において、eNBは、アップリンク・スケジューリング・グラント(英語:UpLink Grant、略称:UL Grant)をフィードバック情報でUEにさらに配信し得る。アップリンク・スケジューリング・グラントは、スケジューリングベースのアップリンクデータ送信モードで残っている送信されるべきデータを送信するようUEに指令するために使用される。次の実施形態への参照が行われる。
【０４８９】
図14を参照すると、図14は、本発明の別の実施形態による情報フィードバック方法のフローチャートを示している。情報フィードバック方法は、次のステップを含む。
【０４９０】
ステップ1401:eNBが、同じアップリンク共有リソースをm個のUEに割り振り、m≧2である。
【０４９１】
それに対応して、UEは、UEのアップリンク共有リソースを決定する。アップリンク共有リソースは、他のm-1個のUEのアップリンク共有リソースと同じであり、m≧2である。
【０４９２】
ステップ1402:UEが、eNBによって割り振られたアップリンク共有リソースを使用することによってアップリンクデータを送信し、アップリンクデータはUEの識別子を含む。
【０４９３】
前の実施形態と異なり、各UEによって送信されたアップリンクデータは、UEの識別子を含むだけでなく、UEのバッファステータス情報も含む。バッファステータス情報は、残っている送信されるべきデータに関する情報を指示するために使用される。
【０４９４】
たとえば、eNBは、同じアップリンク共有リソースを、10個のUEに割り振る。10個のUEのうちの6個のUEがアップリンクデータを同時に送信する必要があり、アップリンクデータを送信する必要がある6個のUEすべてが、残っている送信されるべきデータを有している場合、アップリンクデータを送信する必要がある6個のUEは、アップリンク共有リソース上でアップリンクデータをeNBに同時に送信する。アップリンクデータは、UEの識別子、UEのバッファステータス情報、およびUEによって今回送信されたデータ情報を含む。
【０４９５】
任意選択で、UEのバッファステータス情報は、残っている送信されるべきデータの量、たとえば、1ビットデータ量を含むか、または残っている送信されるべきデータがバッファ内にあることのみを指示するが、送信されるべきデータの量を指示しない。
【０４９６】
ステップ1403:eNBがアップリンク共有リソース上でアップリンクデータを受信し、アップリンクデータは、UEの識別子およびUEのバッファステータス情報を含み、異なるUEの識別子は異なるUEを表し、UEの識別子によって表されるUEはm個のUEのうちの少なくとも1つであり、UEのバッファステータス情報は、UEの残っている送信されるべきデータに関する情報を指示するために使用される。
【０４９７】
eNBはアップリンク共有リソース上でDM-RSを使用することによってチャネル推定を実行し、復号を用いて、チャネル推定の結果に従ってアップリンク共有リソースからアップリンクデータを取得する。アップリンクデータは、UEの識別子、UEのバッファステータス情報、およびUEによって今回送信されたデータ情報を含む。
【０４９８】
ステップ1404:eNBは、復号を用いてUEの識別子およびUEのバッファステータス情報を取得する。
【０４９９】
eNBは、正常に受信したアップリンクデータに従って復号を用いて、アップリンクデータに含まれるUEの識別子およびUEのバッファステータス情報を取得する。
【０５００】
ステップ1405:eNBは、UEのアップリンク・スケジューリング・グラントを生成し、UEのアップリンク・スケジューリング・グラントは、UEのバッファステータス情報に従って生成される。
【０５０１】
各々の正常に受信したアップリンクデータについて、eNBは、アップリンクデータに含まれているバッファステータス情報に従って対応するUEに対するアップリンク・スケジューリング・グラント、すなわち、UL Grantをさらに生成する。
【０５０２】
UL Grantは、少なくとも、UEに割り振られているアップリンク伝送リソースのリソースロケーションを含む。任意選択で、UL Grantは、変調符号化方式(英語:Modulation and Coding Scheme、略称:MCS)、繰り返し期間、等を含む。MCSは、アップリンクデータを伝送するためにUEによって使用される特定の変調符号化方式を指示するために使用される。繰り返し期間は、半永続的スケジューリングがこのアップリンク伝送スケジューリングにおいて使用されるときにeNBによってUEに割り振られているアップリンク伝送リソースが繰り返し出現する期間である。半永続的スケジューリングは、eNBが周期的に出現するアップリンク伝送リソースをUEに一度に割り振るスケジューリング方式である。
【０５０３】
UEに対応するUL Grantで搬送される情報の量は、異なり得るが、各UL Grantによって占有されるビットの個数は固定されてよく、たとえば、各UL Grantは20ビットを占有することに留意すべきである。
【０５０４】
任意選択で、各UL Grantによって占有されるビットの個数は、固定されなくてもよく、たとえば、各UL Grantは10ビット、20ビット、等を占有する。この実施形態では、各UL Grantが20ビットを占有する例が、説明のために使用されている。すなわち、各UL Grantによって占有されるビットの個数は、この実施形態では限定されない。
【０５０５】
ステップ1406:eNBがフィードバック情報を生成し、フィードバック情報はn個の識別子および識別子に対応するアップリンク・スケジューリング・グラントを含む。
【０５０６】
フィードバック情報において、識別子および識別子に対応するUL Grantは、対になっている。任意選択で、識別子の後に、識別子に対応するUL Grantが続く。
【０５０７】
この実施形態におけるフィードバック情報フォーマットの概略図が図15に示されている。図15は、n個の識別子および識別子に対応するUL Grantを含むフィードバック情報を示している。
【０５０８】
識別子がC-RNTIによって表される場合、C-RNTIiは、フィードバック情報中のi番目の識別子を表す。各C-RNTIは、16ビットを占有し、各オクテットOctは8ビットである。したがって、フィードバック情報中の各識別子C-RNTIは、2オクテットを占有する。
【０５０９】
各識別子C-RNTIの後に、識別子に対応するUL Grantが続き、各UL Grantは20ビットを占有する。パディングは、パディングビットを指示する。
【０５１０】
ステップ1407:eNBが、UEに対応するMAC PDUを生成し、MAC PDUは、フィードバック情報を含む。
【０５１１】
eNBは、n個の正常に受信したアップリンクデータに従って、n個の識別子を含むフィードバック情報を生成し、eNBは、n個の識別子を含むフィードバック情報を使用することによって、UEに対応するMAC PDUを生成する。MAC PDUは、フィードバック情報を含む。
【０５１２】
ステップ1408:eNBが、指定された識別子を使用することによって制御チャネル指示情報をスクランブルする。
【０５１３】
指定された識別子は、m個のUEに対応する識別子であり、制御チャネル指示情報は、MAC PDUを搬送するダウンリンクリソースのリソースロケーションを指示するために使用される。
【０５１４】
指定された識別子は、m個のUEに対応する識別子である。言い替えれば、指定された識別子は、m個のUEによって共有される識別子である。
【０５１５】
任意選択で、指定された識別子は、CB-RNTIまたはTTI-RNTIである。
【０５１６】
CB-RNTIは、競合ベースアップリンクデータ伝送モードでeNBによって事前に割り振られた識別子である。
【０５１７】
TTI-RNTIは、ステップ1402におけるアップリンク共有リソースのリソースロケーションに関係する。
【０５１８】
任意選択で、TTI-RNTI=a+suf_id+b*feq_idであり、suf_idはアップリンク共有リソースに対応するサブフレーム番号であり、feq_idはアップリンク共有リソースに対応する物理リソースブロック内の最下位ビットであり、aおよびbの両方は正の整数である。たとえば、a=1およびb=10である。
【０５１９】
制御チャネル指示情報は、PUSCHチャネル上のダウンリンクリソースのリソースロケーションを指示するために使用され、制御チャネル指示情報によって指示されるダウンリンクリソースは、MAC PDUを搬送し送信するために使用される。eNBは、PDCCHチャネルを使用することによって制御チャネル指示情報をUEに最初に送信する。すなわち、eNBは、指定された識別子を使用することによってMAC PDUの制御チャネル指示情報をスクランブルし、PDCCHチャネルを使用することによって、スクランブルした制御チャネル指示情報をUEに送信する。
【０５２０】
ステップ1409:eNBが制御チャネル指示情報をUEに送信する。
【０５２１】
それに対応して、UEは、eNBによって送信された制御チャネル指示情報を受信する。
【０５２２】
ステップ1410:UEが、指定された識別子を使用することによって制御チャネル指示情報を逆スクランブルする。
【０５２３】
指定された識別子は、m個のUEに対応する識別子であり、制御チャネル指示情報は、MAC PDUを搬送するダウンリンクリソースのリソースロケーションを指示するために使用される。
【０５２４】
UEは、指定された識別子を使用することによってPDCCH上で逆スクランブルを用いて、制御チャネル指示情報によって指示されるダウンリンクリソースのリソースロケーションを取得する。指定された識別子を有するUEのみが、制御チャネル指示情報を受信することができる。
【０５２５】
ステップ1411:eNBが、制御チャネル指示情報によって指示されるダウンリンクリソースを使用することによってMAC PDUを送信する。
【０５２６】
eNBは、PDCCH上で制御チャネル指示情報によって指示されるダウンリンクリソースを使用することによってMAC PDUを送信する。
【０５２７】
ステップ1412:UEが、制御チャネル指示情報によって指示されるダウンリンクリソースを使用することによってMAC PDUを受信し、MAC PDUは、フィードバック情報を含む。
【０５２８】
UEは、復号を用いてMAC PDUからフィードバック情報を取得する。任意選択で、フィードバック情報フォーマットが、図15に示されている。
【０５２９】
ステップ1413:UEが、フィードバック情報からi番目の識別子および対応するアップリンク・スケジューリング・グラントを読み出し、i番目の識別子がUEの識別子であるかどうかを検出する。
【０５３０】
UEは、フィードバック情報からi番目の識別子およびi番目の識別子に対応するUL Grantを読み出し、n≧i≧1である。言い替えれば、UEは、毎回フィードバック情報から固定された長さを有する情報を読み出し、固定された長さを有する情報は、「1つの識別子+1つのUL Grant」としてみなされる。任意選択で、固定された長さは、16+20=36ビットである。
【０５３１】
UEは、UEのi番目の識別子がUEの識別子であるかどうかを検出する。
【０５３２】
i番目の識別子がUEの識別子である場合、ステップ1414に進む。i番目の識別子がUEの識別子でない場合、ステップ1415に進む。
【０５３３】
ステップ1414:i番目の識別子がUEの識別子である場合に、これは、eNBがアップリンクデータを正常に受信したことを指示し、UEは、アップリンク・スケジューリング・グラントに従って残っている送信されるべきデータを送信する。
【０５３４】
i番目の識別子がUEの識別子である場合、i番目の識別子に対応するUL Grantは、UEに対応するUL Grantである。UEは、UL Grantの命令に従ってスケジューリングベースアップリンクデータ送信モードでバッファ内の残っている送信されるべきデータをeNBに送信する。
【０５３５】
ステップ1415:i番目の識別子がUEの識別子でない場合、iがnに等しいかどうかを決定し、i=nの場合、ステップ1416に進むか、またはiがnに等しくない場合、i=i+1をセットし、フィードバック情報からi番目の識別子およびi番目の識別子に対応するアップリンク・スケジューリング・グラントを読み出すステップを再実行する。
【０５３６】
すなわち、UEは、フィードバック情報中のすべての識別子およびUL Grantが読み出されるまでステップ1412を繰り返し実行する。
【０５３７】
ステップ1416:UEの識別子がフィードバック情報に含まれる識別子の中にない場合に、これはeNBがアップリンクデータを受信することに失敗したことを指示し、UEはアップリンクデータを再送する。
【０５３８】
アップリンク共有リソース上でUEによってeNBにアップリンクデータを再送する回数がNを超える場合、UEはもはやアップリンク共有リソースを使用することによってアップリンクデータを送信せず、任意選択で、スケジューリングベースの方法を使用することによってアップリンクデータを伝送する。
【０５３９】
結論として、前の実施形態と比較して、この実施形態において提供されるフィードバック情報送信方法によれば、UEはバッファステータス情報をUEによって送信されるアップリンクデータに追加し、eNBは、バッファステータス情報に従って対応するUL Grantを生成し、対応するUL Grantをフィードバック情報に追加し、次いで、フィードバック情報をUEに配信し、これにより、フィードバック情報は、アップリンクデータが正常に受信されたかどうかをフィードバックするために使用できるだけでなく、UEのアップリンクデータ伝送をスケジューリングするためにも使用できる。したがって、eNB側のシグナリングオーバーヘッドが低減され、UE側のアップリンクデータ伝送の速度が高まる。
【０５４０】
図14の実施形態におけるeNBに関係するステップは、eNB側の観点からフィードバック情報送信方法として独立して実装されてよく、UE側に関係するステップは、UE側の観点からフィードバック情報受信方法として独立して実装されてよいことに留意すべきである。
【０５４１】
図14の実施形態において、各UEによって送信されるアップリンクデータが「UEの識別子+UEのバッファステータス情報」を含む例が、説明のために使用されている。しかしながら、実際のシナリオでは、UEが残っている送信されるべきデータを有していない場合、UEによって送信されるアップリンクデータは、バッファステータス情報を含まない。すなわち、UEによって送信され、eNBによって受信されるアップリンクデータでは、アップリンクデータの一部がUEの識別子のみを含んでよく、他のアップリンクデータは、「UEの識別子+UEのバッファステータス情報」を含み得る。この場合について、次の実施形態への参照が行われる。
【０５４２】
図16を参照すると、図16は、本発明の別の実施形態によるフィードバック情報送信方法のフローチャートを示している。フィードバック情報送信方法は、次のステップを含む。
【０５４３】
ステップ1601:eNBが、同じアップリンク共有リソースをm個のUEに割り振り、m≧2である。
【０５４４】
それに対応して、UEは、UEのアップリンク共有リソースを決定する。アップリンク共有リソースは、他のm-1個のUEのアップリンク共有リソースと同じであり、m≧2である。
【０５４５】
ステップ1601はステップ1101と同じであり、図11に示されている実施形態への参照が行われる。
【０５４６】
ステップ1602:UEが、eNBによって割り振られたアップリンク共有リソースを使用することによってアップリンクデータを送信し、アップリンクデータはUEの識別子を含むか、またはアップリンクデータは、UEの識別子およびUEのバッファステータス情報を含む。
【０５４７】
残っている送信されるべきデータがUEのバッファ内にないときに、UEによって送信されたアップリンクデータは、UEの識別子および今回送信されたデータ情報を含む。
【０５４８】
残っている送信されるべきデータがUEのバッファ内にあるときに、UEによって送信されたアップリンクデータは、UEの識別子、UEのバッファステータス情報、および今回送信されたデータ情報を含む。
【０５４９】
たとえば、eNBは、同じアップリンク共有リソースを、10個のUEに割り振る。10個のUEのうちの6個のUEがアップリンクデータを同時に送信する必要があり、6個のUEのうちの3つのUEが残っている送信されるデータを有する場合、6個のUEは、アップリンクデータをアップリンク共有リソース上で同時にeNBに送信する。3つのUEによって送信されたアップリンクデータは、UEの識別子およびUEによって今回送信されたデータ情報を含む。他の3つのUEによって送信されたアップリンクデータは、UEの識別子、UEのバッファステータス情報、およびUEによって今回送信されたデータ情報を含む。
【０５５０】
ステップ1603:eNBがアップリンク共有リソース上でアップリンクデータを受信し、n個のアップリンクデータは、n個のUEの識別子と、x個のUEに対応するバッファステータス情報とを含み、n≧x≧1であり、異なるUEの識別子は異なるUEを表し、UEの識別子によって表されるUEはm個のUEのうちの少なくとも1つであり、UEのバッファステータス情報は、UEの残っている送信されるべきデータに関する情報を指示するために使用される。
【０５５１】
eNBはアップリンク共有リソース上でDM-RSを使用することによってチャネル推定を実行し、復号を用いて、チャネル推定の結果に従ってアップリンク共有リソースからUEのアップリンクデータを取得する。
【０５５２】
ステップ1604:eNBが、復号を用いて、n個のUEの識別子と、x個のUEに対応するバッファステータス情報とを取得する。
【０５５３】
1個のアップリンクデータは、UEの識別子、UEのバッファステータス情報、およびUEによって今回送信されたデータ情報を含むか、または1個のアップリンクデータは、UEの識別子およびUEによって今回送信されたデータ情報を含む。
【０５５４】
いくつかのUEによって送信されるアップリンクデータは、バッファステータス情報を含まないので、eNBによって正常に受信されたn個のアップリンクデータは、n個のUEの識別子と、x個のUEに対応するバッファステータス情報とを含む。
【０５５５】
ステップ1605:eNBがx個のUEに対応するアップリンク・スケジューリング・グラントを生成し、x個のアップリンク・スケジューリング・グラントは、x個のUEのバッファステータス情報に従って生成される。
【０５５６】
バッファステータス情報を含むUEのアップリンクデータについて、eNBは、アップリンクデータに含まれているバッファステータス情報に従って対応するUEに対するアップリンク・スケジューリング・グラント、すなわち、UL Grantをさらに生成する。
【０５５７】
UL Grantは、少なくとも、UEに割り振られているアップリンク伝送リソースのリソースロケーションを含む。任意選択で、UL Grantは、MCS、繰り返し期間、等を含む。MCSは、アップリンクデータを伝送するためにUEによって使用される特定の変調符号化方式を指示するために使用される。繰り返し期間は、半永続的スケジューリングがこのアップリンク伝送スケジューリングにおいて使用されるときにeNBによってUEに割り振られているアップリンク伝送リソースが繰り返し出現する期間である。半永続的スケジューリングは、eNBが周期的に出現するアップリンク伝送リソースをUEに一度に割り振るスケジューリング方式である。
【０５５８】
UEに対応するUL Grantで搬送される情報の量は異なり得ることに留意すべきである。したがって、各UL Grantによって占有されるビットの個数は、固定されてよいか、または固定されなくてもよい。この実施形態では、各UL Grantが20ビットを占有する例が、説明のために使用されている。
【０５５９】
ステップ1606:eNBが、フィードバック情報を生成し、フィードバック情報は、有効ビットの個数と、ビットマッピングシーケンスと、n個の識別子と、x個のアップリンク・スケジューリング・グラントとを含む。
【０５６０】
有効ビットの個数は、ビットマッピングシーケンス内の有効ビットの個数であり、ビットマッピングシーケンスは、固定されたビット数を有するビットシーケンスである。ビットマッピングシーケンス内の値は、第1の値と第2の値とを含む。第1の値は0であり、第2の値は1であるか、または第1の値は1であり、第2の値は0である。
【０５６１】
ビットマッピングシーケンス内のi番目のビットが、第1の値であり、有効であるときに、これは、フィードバック情報中のi番目の識別子の後に、固定されたビット数を有する対応するアップリンク・スケジューリング・グラントが続くことを指示する。
【０５６２】
ビットマッピングシーケンス内のi番目のビットが、第2の値であり、有効であるときに、これは、フィードバック情報中のi番目の識別子の後に、固定されたビット数を有する対応するアップリンク・スケジューリング・グラントが続かないことを指示する。
【０５６３】
この実施形態におけるフィードバック情報フォーマットの概略図が図17に示されている。
【０５６４】
Rはフォーマット表現ビットであり、1ビットを占有し、予約ビットを指示するために使用される。
【０５６５】
UE Numberは、有効ビットの個数である。任意選択で、UE Numberは、3ビットを占有し、ビットマッピングシーケンスACKまたはGrant内で左から右へ有効ビットの数を識別するために使用される。この実施形態では、UE Numberが3ビットを占有することは、説明の一例としてのみ使用されている。UE Numberによって占有されるビットの個数は、この実施形態では限定されない。
【０５６６】
ビットマッピングシーケンスACKまたはGrantは、常に、8ビットを占有するが、8ビットは、必ずしも有効ではない。これは、フィードバック情報中のi番目の識別子の後に、対応するUL Grantが続くかどうかに関係する。
【０５６７】
ビットマッピングシーケンスACKまたはGrant内のi番目のビットが、1であり、有効であるときに、これは、フィードバック情報中のi番目の識別子の後に、固定されたビット数(20ビット)を有する対応するUL Grantが続くことを指示する。
【０５６８】
ビットマッピングシーケンスACKまたはGrant内のi番目のビットが、0であり、有効であるときに、これは、フィードバック情報中のi番目の識別子の後に、固定されたビット数を有する対応するUL Grantが続かないことを指示する。すなわち、ただ1つのACK情報が存在し、UL Grantは含まれない。
【０５６９】
任意選択で、識別子がC-RNTIによって表される場合、C-RNTIiは、フィードバック情報中のi番目の識別子を表す。各C-RNTIは、16ビットを占有し、各オクテットOctは8ビットである。したがって、フィードバック情報中の各識別子C-RNTIは、2オクテットを占有する。
【０５７０】
ステップ1607:eNBが、UEに対応するMAC PDUを生成し、MAC PDUは、フィードバック情報を含む。
【０５７１】
eNBは、n個の正常に受信したアップリンクデータに従って、n個の識別子およびx個のUEに対応するUL Grantを含むフィードバック情報を生成し、eNBは、n個の識別子を含むフィードバック情報を使用することによって、対応するMAC PDUを生成する。MAC PDUは、フィードバック情報を含む。
【０５７２】
ステップ1608:eNBが、指定された識別子を使用することによって制御チャネル指示情報をスクランブルする。
【０５７３】
指定された識別子は、m個のUEに対応する識別子であり、制御チャネル指示情報は、MAC PDUを搬送するダウンリンクリソースのリソースロケーションを指示するために使用される。
【０５７４】
指定された識別子は、m個のUEに対応する識別子である。言い替えれば、指定された識別子は、m個のUEによって共有される識別子である。
【０５７５】
任意選択で、指定された識別子は、CB-RNTIまたはTTI-RNTIである。
【０５７６】
CB-RNTIは、競合ベースアップリンクデータ伝送モードでeNBによって事前に割り振られた識別子である。
【０５７７】
TTI-RNTIは、ステップ1602におけるアップリンク共有リソースのリソースロケーションに関係する。
【０５７８】
任意選択で、TTI-RNTI=a+suf_id+b*feq_idであり、suf_idはアップリンク共有リソースに対応するサブフレーム番号であり、feq_idはアップリンク共有リソースに対応する物理リソースブロック内の最下位ビットであり、aおよびbの両方は正の整数である。たとえば、a=1およびb=10である。
【０５７９】
制御チャネル指示情報は、PUSCHチャネル上のダウンリンクリソースのリソースロケーションを指示するために使用され、制御チャネル指示情報によって指示されるダウンリンクリソースは、MAC PDUを搬送し送信するために使用される。eNBは、PDCCHチャネルを使用することによって制御チャネル指示情報を最初に送信する。すなわち、eNBは、指定された識別子を使用することによってMAC PDUの制御チャネル指示情報をスクランブルし、PDCCHチャネルを使用することによって、スクランブルした制御チャネル指示情報をUEに送信する。
【０５８０】
ステップ1609:eNBが制御チャネル指示情報をUEに送信する。
【０５８１】
それに対応して、UEは、eNBによって送信された制御チャネル指示情報を受信する。
【０５８２】
ステップ1610:UEが、指定された識別子を使用することによって制御チャネル指示情報を逆スクランブルする。
【０５８３】
指定された識別子は、m個のUEに対応する識別子であり、制御チャネル指示情報は、MAC PDUを搬送するダウンリンクリソースのリソースロケーションを指示するために使用される。
【０５８４】
UEは、指定された識別子を使用することによってPDCCHチャネル上で逆スクランブルを用いて、制御チャネル指示情報によって指示されるダウンリンクリソースのリソースロケーションを取得する。指定された識別子を有するUEのみが、制御チャネル指示情報を受信することができる。
【０５８５】
ステップ1611:eNBが、制御チャネル指示情報によって指示されるダウンリンクリソースを使用することによってMAC PDUを送信する。
【０５８６】
eNBは、PDCCH上で制御チャネル指示情報によって指示されるダウンリンクリソースを使用することによってMAC PDUを送信する。
【０５８７】
ステップ1612:UEが、制御チャネル指示情報によって指示されるダウンリンクリソースを使用することによってMAC PDUを受信し、MAC PDUは、フィードバック情報を含む。
【０５８８】
UEは、復号を用いてMAC PDUからフィードバック情報を取得する。任意選択で、フィードバック情報フォーマットが、図17に示されている。
【０５８９】
ステップ1613:UEが、フィードバック情報から有効ビットの個数およびビットマッピングシーケンスを読み出す。
【０５９０】
有効ビットの個数は、ビットマッピングシーケンス内の有効ビットの個数を指示するために使用され、ビットマッピングシーケンスは、固定されたビット数を有するビットシーケンスである。
【０５９１】
ステップ1614:ビットマッピングシーケンス内のi番目の識別子が、第1の値であり、有効である場合に、UEは、i番目の識別子とi番目の識別子に対応するアップリンク・スケジューリング・グラントとを読み出し、i番目の識別子がUEの識別子であるかどうかを検出する。
【０５９２】
UEは、フィードバック情報からi番目の識別子およびi番目の識別子に対応するUL Grantを読み出し、x≧i≧1である。言い替えれば、UEは、毎回フィードバック情報から固定された長さを有する情報を読み出し、固定された長さを有する情報は、「1つの識別子+1つのUL Grant」としてみなされる。任意選択で、固定された長さは、16+20=36ビットである。
【０５９３】
UEは、i番目の識別子がUEの識別子であるかどうかを検出する。
【０５９４】
i番目の識別子がUEの識別子である場合、ステップ1615に進む。i番目の識別子がUEの識別子でない場合、ステップ1616に進む。
【０５９５】
ステップ1615:i番目の識別子がUEの識別子である場合に、これは、eNBがアップリンクデータを正常に受信したことを指示し、UEは、アップリンク・スケジューリング・グラントに従って残っている送信されるべきデータを送信する。
【０５９６】
i番目の識別子がUEの識別子である場合、i番目の識別子に対応するUL Grantは、UEに対応するUL Grantである。UEは、UL Grantの命令に従ってスケジューリングベースアップリンクデータ送信モードでバッファ内の残っている送信されるべきデータをeNBに送信する。
【０５９７】
ステップ1616:i番目の識別子がUEの識別子でない場合、iが有効ビットの個数に等しいかどうかを決定し、iが有効ビットの個数に等しい場合に、ステップ1619に進むか、iが有効ビットの個数に等しくない場合に、i=i+1をセットし、有効ビットの個数およびビットマッピングシーケンスを読み出すステップを再実行する。
【０５９８】
すなわち、UEは、フィードバック情報中のUEのすべての識別子が読み出されるまでステップ1613を繰り返し実行する。
【０５９９】
ステップ1617:ビットマッピングシーケンス内のi番目の識別子が、第2の値であり、有効である場合に、UEはi番目の識別子を読み出し、i番目の識別子がUEの識別子であるかどうかを検出する。
【０６００】
UEは、フィードバック情報からi番目の識別子を読み出し、n≧i≧1である。言い替えれば、UEは、フィードバック情報から固定された長さを有する情報を読み出し、固定された長さを有する情報は、「1つの識別子」としてみなされる。任意選択で、固定された長さは、16ビットである。
【０６０１】
UEは、i番目の識別子がUEの識別子であるかどうかを検出する。
【０６０２】
i番目の識別子がUEの識別子である場合、ステップ1618に進む。i番目の識別子がUEの識別子でない場合、ステップ1616に進む。
【０６０３】
ステップ1618:i番目の識別子がUEの識別子である場合に、これは、eNBがアップリンクデータを正常に受信したことを指示する。
【０６０４】
ステップ1619:UEの識別子がフィードバック情報に含まれる識別子の中にない場合に、これはeNBがアップリンクデータを受信することに失敗したことを指示し、UEはアップリンクデータを再送する。
【０６０５】
結論として、前の実施形態と比較して、この実施形態において提供されるフィードバック情報送信方法によれば、UEのうちのいくつかがバッファステータス情報をアップリンクデータに追加し、eNBは、バッファステータス情報に従って、UEに対応するUL Grantを生成し、UL Grantをフィードバック情報に追加し、次いで、フィードバック情報を対応するUEに配信し、これにより、フィードバック情報は、UEのアップリンクデータ伝送をスケジューリングするために使用できる。
【０６０６】
図16の実施形態におけるeNBに関係するステップは、eNB側の観点からフィードバック情報送信方法として独立して実装されてよく、UE側に関係するステップは、UE側の観点からフィードバック情報受信方法として独立して実装されてよいことに留意すべきである。
【０６０７】
図16の実施形態において、いくつかのUEによって送信されるアップリンクデータが「UEの識別子+UEのバッファステータス情報」を含む例は、説明のために使用されており、現在の利用可能なアップリンクリソースは、アップリンク・スケジューリング・グラントによって指示される、UEによって要求されるリソースの要求条件を満たし得る。しかしながら、実際のシナリオでは、残っている送信されるべきデータの量が過度に大きい場合、eNBの現在の利用可能なアップリンクリソースの量は、このスケジューリングにおいて要求されるアップリンクリソースの量よりも少ないことがある。すなわち、eNB上の利用可能なアップリンクリソースの量は、不十分な場合がある。この場合について、次の実施形態への参照が行われる。
【０６０８】
図18を参照すると、図18は、本発明の別の実施形態によるフィードバック情報送信方法のフローチャートを示している。フィードバック情報送信方法は、次のステップを含む。
【０６０９】
ステップ1801:eNBが、同じアップリンク共有リソースをm個のUEに割り振り、m≧2である。
【０６１０】
それに対応して、UEは、UEのアップリンク共有リソースを決定する。アップリンク共有リソースは、他のm-1個のUEのアップリンク共有リソースと同じであり、m≧2である。
【０６１１】
ステップ1802:UEが、eNBによって割り振られたアップリンク共有リソースを使用することによってアップリンクデータを送信し、アップリンクデータはUEの識別子を含むか、またはアップリンクデータは、UEの識別子およびUEのバッファステータス情報を含む。
【０６１２】
ステップ1803:eNBがアップリンク共有リソース上でアップリンクデータを受信し、n個のアップリンクデータは、n個のUEの識別子と、y個のUEに対応するバッファステータス情報とを含み、n≧y≧1であり、異なるUEの識別子は異なるUEを表し、UEの識別子によって表されるUEはm個のUEのうちの少なくとも1つであり、UEのバッファステータス情報は、UEの残っている送信されるべきデータに関する情報を指示するために使用される。
【０６１３】
ステップ1804:eNBが、復号を用いて、n個のUEの識別子と、y個のUEに対応するバッファステータス情報とを取得する。
【０６１４】
ステップ1801からステップ1804は、ステップ1601からステップ1604と同じであり、図16に示されている実施形態への参照が行われる。
【０６１５】
ステップ1805:eNBが、x個のUEにそれぞれ対応するアップリンク・スケジューリング・グラントを生成し、y>x≧1であり、x個のアップリンク・スケジューリング・グラントは、現在の利用可能なアップリンクリソースを指示し、x個のアップリンク・スケジューリング・グラントは、x個のUEのバッファステータス情報に従って生成される。
【０６１６】
たとえば、eNBは、同じアップリンク共有リソースを、10個のUEに割り振り、8個のUEは、アップリンク共有リソースを使用することによってアップリンクデータを同時にeNBに送信する。6個のUEによって送信されたアップリンクデータは、UEの識別子、UEのバッファステータス情報、およびUEによって今回送信されたデータ情報を含み、2つのUEによって送信されたアップリンクデータは、UEの識別子およびUEによって今回送信されたデータ情報のみを含む。しかしながら、eNBの現在の利用可能なアップリンクリソースは、バッファステータス情報を送信する4つのUEによってのみ使用され得る。したがって、eNBは、現在の利用可能なアップリンクリソースおよびバッファステータス情報に従って、4個のUEに対応するUL Grantを生成する。
【０６１７】
UL Grantは、少なくとも、UEに割り振られているアップリンク伝送リソースを含む。任意選択で、UL Grantは、MCS、繰り返し期間、等を含む。MCSは、アップリンクデータを伝送するためにUEによって使用される特定の変調符号化方式を指示するために使用される。繰り返し期間は、半永続的スケジューリングがこのアップリンク伝送スケジューリングにおいて使用されるときにeNBによってUEに割り振られているアップリンク伝送リソースが繰り返し出現する期間である。半永続的スケジューリングは、eNBが周期的に出現するアップリンク伝送リソースをUEに一度に割り振るスケジューリング方式である。
【０６１８】
UEに対応するUL Grantで搬送される情報の量は、異なり得るが、各UL Grantによって占有されるビットの個数は固定されることに留意すべきである。任意選択で、各UL Grantは、20ビットを占有する。
【０６１９】
ステップ1806:eNBが、フィードバック情報を生成し、フィードバック情報は、有効ビットの個数と、ビットマッピングシーケンスと、n個の識別子と、x個のアップリンク・スケジューリング・グラントとを含む。
【０６２０】
ビットマッピングシーケンス内のi番目のビットが、第1の値であり、有効であるときに、これは、フィードバック情報中のi番目の識別子の後に、固定されたビット数を有する対応するアップリンク・スケジューリング・グラントが続くことを指示する。
【０６２１】
ビットマッピングシーケンス内のi番目のビットが、第2の値であり、有効であるときに、これは、フィードバック情報中のi番目の識別子の後に、固定されたビット数を有する対応するアップリンク・スケジューリング・グラントが続かないことを指示する。
【０６２２】
ステップ1807:eNBが、UEに対応するMAC PDUを生成し、MAC PDUは、フィードバック情報を含む。
【０６２３】
ステップ1808:eNBが、指定された識別子を使用することによって制御チャネル指示情報をスクランブルする。
【０６２４】
指定された識別子は、m個のUEに対応する識別子であり、制御チャネル指示情報は、MAC PDUを伝送するダウンリンクリソースのリソースロケーションを指示するために使用される。
【０６２５】
ステップ1809:eNBが制御チャネル指示情報をUEに送信する。
【０６２６】
それに対応して、UEは、eNBによって送信された制御チャネル指示情報を受信する。
【０６２７】
ステップ1810:UEが、指定された識別子を使用することによって制御チャネル指示情報を逆スクランブルし、指定された識別子は、m個のUEに対応する識別子であり、制御チャネル指示情報は、MAC PDUを伝送するダウンリンクリソースのリソースロケーションを指示するために使用される。
【０６２８】
ステップ1811:eNBが、制御チャネル指示情報によって指示されるダウンリンクリソースを使用することによってMAC PDUを送信する。
【０６２９】
ステップ1812:UEが、制御チャネル指示情報によって指示されるダウンリンクリソースを使用することによってMAC PDUを受信し、MAC PDUは、フィードバック情報を含む。
【０６３０】
ステップ1813:UEが、フィードバック情報から有効ビットの個数およびビットマッピングシーケンスを読み出す。
【０６３１】
有効ビットの個数は、ビットマッピングシーケンス内の有効ビットの個数を指示するために使用され、ビットマッピングシーケンスは、固定されたビット数を有するビットシーケンスである。
【０６３２】
ステップ1814:ビットマッピングシーケンス内のi番目の識別子が、第1の値であり、有効である場合に、UEは、i番目の識別子とi番目の識別子に対応するアップリンク・スケジューリング・グラントとを読み出し、i番目の識別子がUEの識別子であるかどうかを検出する。
【０６３３】
UEは、i番目の識別子がUEの識別子であるかどうかを検出する。
【０６３４】
i番目の識別子がUEの識別子である場合、ステップ1815に進む。i番目の識別子がUEの識別子でない場合、ステップ1817に進む。
【０６３５】
ステップ1815:i番目の識別子がUEの識別子である場合に、これは、eNBがアップリンクデータを正常に受信したことを指示し、UEは、アップリンク・スケジューリング・グラントに従って残っている送信されるべきデータを送信する。
【０６３６】
ステップ1816:i番目の識別子がUEの識別子でない場合、iが有効ビットの個数に等しいかどうかを決定し、iが有効ビットの個数に等しい場合に、ステップ1819に進むか、iが有効ビットの個数に等しくない場合に、i=i+1をセットし、有効ビットの個数およびビットマッピングシーケンスを読み出すステップを再実行する。
【０６３７】
すなわち、UEは、フィードバック情報中のすべての識別子が読み出されるまでステップ1813を繰り返し実行する。
【０６３８】
ステップ1817:ビットマッピングシーケンス内のi番目の識別子が、第2の値であり、有効である場合に、UEはi番目の識別子を読み出し、i番目の識別子がUEの識別子であるかどうかを検出する。
【０６３９】
UEは、i番目の識別子がUEの識別子であるかどうかを検出する。
【０６４０】
i番目の識別子がUEの識別子である場合、ステップ1818に進む。i番目の識別子がUEの識別子でない場合、ステップ1817に進む。
【０６４１】
ステップ1806からステップ1817は、ステップ1606からステップ1617と同じであり、図16に示されている実施形態への参照が行われる。
【０６４２】
ステップ1818:i番目の識別子がUEの識別子である場合に、これは、eNBがアップリンクデータを正常に受信したことを指示し、UEが残っている送信されるべきデータを有している場合に、UEは、eNBがアップリンク・スケジューリング・グラントを再度割り振るのを待ち続ける。
【０６４３】
ステップ1819:UEの識別子がフィードバック情報に含まれる識別子の中にない場合に、これはeNBがアップリンクデータを受信することに失敗したことを指示し、UEはアップリンクデータを再送する。
【０６４４】
結論として、前の実施形態と比較して、この実施形態において提供されるフィードバック情報送信方法によれば、いくつかのUEに対応するUL Grantは、現在の利用可能なアップリンクリソースおよびバッファステータス情報に従ってUEに対して生成され、UL Grantは、フィードバック情報に追加され、次いで、フィードバック情報が対応するUEに送信される。UL Grantが割り振られない別のUEについて、UEに対応する識別子が最初に送信され、これにより、UEは、eNBがUL Grantを再度割り振るのを待つ。
【０６４５】
図18の実施形態におけるeNBに関係するステップは、eNB側の観点からフィードバック情報送信方法として独立して実装されてよく、UE側に関係するステップは、UE側の観点からフィードバック情報受信方法として独立して実装されてよいことに留意すべきである。
【０６４６】
前述の実施形態のすべてにおいて、eNBが、MAC PDUを使用することによってフィードバック情報を送信する。実際のシナリオでは、eNBは、代替的に、生成されたフィードバック情報を別の方式でUEに送信し得る。詳細について、次の実施形態への参照が行われる。
【０６４７】
図19を参照すると、図19は、本発明の別の実施形態によるフィードバック情報送信方法のフローチャートを示している。フィードバック情報送信方法は、次のステップを含む。
【０６４８】
ステップ1901:同じアップリンク共有リソースおよび同じDM-RSをm個のUEに割り振り、m≧2である。
【０６４９】
LTEでは、アップリンク共有リソースは、PUSCHチャネル上で時間周波数リソースであり、複数のUEが、データを送信するために同じアップリンク共有リソースを共有し得る。
【０６５０】
DM-RSは、PUSCHチャネル上で、UEによって伝送されたデータに対するチャネル推定を実行するために使用される。
【０６５１】
それに対応して、UEは、UEの、アップリンク共有リソースおよびDM-RSを決定する。具体的には、UEは、アップリンク共有リソースに関係するRM-RSおよび構成情報を受信し、DM-RSおよび構成情報は、eNBによって送信され、UEは、受信された構成情報およびDM-RSに従って、UEの、アップリンク共有リソースおよびDM-RSを決定する。
【０６５２】
他の実施形態では、eNBおよびUEがアップリンク共有リソースの構成方式に関して予め合意している場合、UEは、予め合意した構成方式に従ってそれ自体でアップリンク共有リソースを決定し得る。
【０６５３】
ステップ1902:UEが、アップリンク共有リソースを使用することによってアップリンクデータを送信し、アップリンクデータは、UEの、識別子およびDM-RSを含む。
【０６５４】
たとえば、eNBは、同じアップリンク共有リソースを、10個のUEに割り振る。10個のUEのうちの3つのUEがアップリンクデータを同時に送信する必要がある場合、アップリンクデータを送信する必要がある3つのUEは、それぞれのアップリンクデータを同じアップリンク共有リソース上でeNBに送信する。アップリンクデータは、対応するUEの、識別子およびDM-RSを含む。すなわち、各々のアップリンクデータは、UEの、識別子およびDM-RS、ならびにUEによって送信されるデータ情報を含む。
【０６５５】
それに対応して、eNBは、UEの識別子およびDM-RSを含む、UEによって送信された、アップリンクデータを受信する。
【０６５６】
ステップ1903:eNBが、DM-RSを使用することによって、アップリンクデータを受信し、アップリンクデータはUEの識別子を含み、異なるUEの識別子は異なるUEを表し、UEの識別子によって表されるUEはm個のUEのうちの少なくとも1つである。
【０６５７】
eNBはアップリンク共有リソース上でDM-RSを使用することによってチャネル推定を実行し、復号を用いて、チャネル推定の結果に従ってアップリンク共有リソースからアップリンクデータを取得する。アップリンクデータは、UEの、識別子およびDM-RSを含む。
【０６５８】
ステップ1904:eNBが、合意されたフィードバックロケーションを計算し、合意されたフィードバックロケーションは、アップリンク共有リソースのリソースロケーションおよびDM-RSに従って取得される。
【０６５９】
LTEでは、合意されたフィードバックロケーションは、PUSCHチャネル上の時間周波数リソースのリソースロケーションおよびDM-RSに従って計算を用いてeNBによって取得される、PHICHチャネル上の時間周波数リソースのリソースロケーションである。
【０６６０】
具体的な計算式は、
【０６６１】
【数９１】
0006567760.tif 000092
【０６６２】
および
【０６６３】
【数９２】
0006567760.tif 000093
【０６６４】
であり、ここで、
【０６６５】
【数９３】
0006567760.tif 000094
【０６６６】
は、ダウンリンクリソースがPHICH上で属すグループのグループ番号を識別するために使用され、
【０６６７】
【数９４】
0006567760.tif 000095
【０６６８】
は、PHICH上でグループ内のダウンリンクリソースの直交シーケンス番号を識別するために使用され、
【０６６９】
【数９５】
0006567760.tif 000096
【０６７０】
は、UEにPDCCHによって最後に指示されたDM-RSシーケンスを識別するために使用され、
【０６７１】
【数９６】
0006567760.tif 000097
【０６７２】
は、PHICH上でのグループの数を識別するために使用され、
【０６７３】
【数９７】
0006567760.tif 000098
【０６７４】
は、PHICHを変調するために使用される拡散率であり、ここで、
【０６７５】
【数９８】
0006567760.tif 000099
【０６７６】
であり、ここで、
【０６７７】
【数９９】
0006567760.tif 000100
【０６７８】
は、PUSCH伝送プロセスにおける第1のタイムスロットに対応する最低のPRBインデックスを識別するために使用される。
【０６７９】
それに対応して、UEは、アップリンク共有リソースのリソースロケーションおよびDM-RSに従って計算を用いて、合意されたフィードバックロケーション
【０６８０】
【数１００】
0006567760.tif 000101
【０６８１】
を取得する。
【０６８２】
ステップ1905:eNBが、UEのオフセットを計算し、UEのオフセットは、UEの識別子に従って取得される。
【０６８３】
任意選択で、プリセットされた算術演算がUEの識別子に対して実行され、プリセットされた算術演算の結果は、UEに対応するオフセットとして使用される。
【０６８４】
この実施形態において、各UEに対応するオフセットは、モジュロ演算で計算され、具体的な計算式は、
f(C-RNTI)=(C-RNTI)%Mであり、Mは正の整数である。
【０６８５】
算術演算は、UEの識別子に対して実行され、算術演算の結果は、UEに対応するオフセットとして使用される。任意選択で、算術演算は、算術演算が計算を用いて異なるUEの識別子に対応する異なるオフセットを取得するための要求を満たすことができることを前提として、モジュロ演算、線形演算、三角関数演算、等であってよい。したがって、算術演算の種類は、この実施形態では限定されない。
【０６８６】
それに対応して、UEは、UEの識別子に従って計算を用いて、UEに対応するオフセットを取得し、オフセットは、UEの識別子に対してモジュロ演算を実行することによってUEによって取得される。
【０６８７】
ステップ1906:eNBが、ダウンリンクリソースのリソースロケーションで肯定応答情報ACKを送信し、ダウンリンクリソースのリソースロケーションは、合意されたフィードバックロケーションおよびオフセットの組合せによって指示される。
【０６８８】
ダウンリンクリソースロケーションは、合意されたフィードバックロケーションとオフセットとの和であってよい。
【０６８９】
すなわち、
【０６９０】
【数１０１】
0006567760.tif 000102
【０６９１】
および
【０６９２】
【数１０２】
0006567760.tif 000103
【０６９３】
である。
【０６９４】
【数１０３】
0006567760.tif 000104
【０６９５】
は、ダウンリンクリソースがPHICH上で属すグループのグループ番号を識別するために使用され、
【０６９６】
【数１０４】
0006567760.tif 000105
【０６９７】
は、PHICH上でグループ内のダウンリンクリソースの直交シーケンス番号を識別するために使用され、
【０６９８】
【数１０５】
0006567760.tif 000106
【０６９９】
は、UEにPDCCHによって最後に指示されたDM-RSシーケンスを識別するために使用され、
【０７００】
【数１０６】
0006567760.tif 000107
【０７０１】
は、PHICH上でのグループの数を識別するために使用され、
【０７０２】
【数１０７】
0006567760.tif 000108
【０７０３】
は、PHICHを変調するために使用される拡散率であり、f(C-RNTI)は、UEに対応するオフセットであり、ここで、
【０７０４】
【数１０８】
0006567760.tif 000109
【０７０５】
であり、ここで、
【０７０６】
【数１０９】
0006567760.tif 000110
【０７０７】
は、PUSCH伝送プロセスにおける第1のタイムスロットに対応する最低のPRBインデックスを識別するために使用される。
【０７０８】
任意選択で、オフセットの計算式は、
f(C-RNTI)=(C-RNTI)%Mであり、Mは正の整数である。
【０７０９】
ステップ1907:UEが、ダウンリンクリソースのリソースロケーションで肯定応答情報ACKを受信し、ダウンリンクリソースのリソースロケーションは、合意されたフィードバックロケーションおよびオフセットの組合せによって指示される。
【０７１０】
ステップ1908:UEがeNBによって送信された肯定応答情報ACKを受信することに失敗した場合に、これはeNBがアップリンクデータを受信することに失敗したことを指示し、UEはアップリンクデータを再送する。
【０７１１】
結論として、eNBは同じアップリンク共有リソースおよびDM-RSをm個のUEに割り振り、UEは、eNBによって割り振られたアップリンク共有リソースを使用することによってアップリンクデータを送信し、アップリンクデータは、UEの、識別子およびDM-RSを含み、eNBはDM-RSを使用することによってアップリンク共有リソース上でアップリンクデータを受信し、eNBは、アップリンク共有リソースのリソースロケーションおよびDM-RSに従って計算を用いて、合意されたフィードバックロケーションを取得し、各UEの識別子に従って計算を用いてUEに対応するオフセットを取得し、eNBは、合意されたフィードバックロケーションとオフセットとの組合せによって指示されるダウンリンクリソース上で肯定応答情報ACKを送信する。これは、複数のUEが同じアップリンク共有リソースおよびDM-RSを使用することによってアップリンクデータを送信するときにeNBが合意されたダウンリンクリソースに従ってフィードバック情報を異なるUEに正しく送信することができないという従来技術における問題を解決し、これにより、各UEはUEのアップリンクデータが正常に送信されたかどうかに関して明確である。
【０７１２】
図19の実施形態におけるeNB側に関係するステップは、eNB側の観点からフィードバック情報送信方法として独立して実装されてよく、UE側に関係するステップは、UE側の観点からフィードバック情報受信方法として独立して実装されてよいことに留意すべきである。
【０７１３】
図13の実施形態におけるステップ1315、図14の実施形態におけるステップ1416、図16の実施形態におけるステップ1619、図18の実施形態におけるステップ1819、ならびに図19の実施形態におけるステップ1908は、UEによってアップリンクデータを再送するステップである。UEによって実行されるアップリンクデータの再送の間に競合コンフリクトが再発する可能性を減じるために、アップリンクデータを再送することに関係する前述のステップは、次のステップ2001からステップ2005で置き換えられ得る。
【０７１４】
ステップ2001:eNBが、それぞれの対応する第2の乱数をm個のUEに事前に割り振る。
【０７１５】
第2の乱数は、UEの識別子がフィードバック情報に含まれないときにUEによって使用される。第2の乱数は、MAC PDUを使用することによってeNBがフィードバック情報をUEに送信する前にUEに事前に割り振られる。
【０７１６】
ステップ2002:UEが、第1の利用可能なアップリンク共有リソースが存在するときに第1の乱数をランダムに生成する。
【０７１７】
第1の利用可能なアップリンク共有リソースは、UEに対応する識別子が受信したフィードバック情報に含まれないことをUEが見出した後に出現する第1のアップリンク共有リソースである。第1の乱数は、UEによってランダムに生成され、第1の利用可能なアップリンク共有リソース上でUEがアップリンクデータを再送するかどうかを決定するために使用される。
【０７１８】
ステップ2003:UEが、バッファ内の第2の乱数を読み出し、第2の乱数はeNBによって事前に割り振られる。
【０７１９】
第1の乱数と第2の乱数の値を比較することによって、第1の利用可能なアップリンク共有リソース上でアップリンクデータをUEが再送するかどうかが決定される。
【０７２０】
ステップ2004:第1の乱数と第2の乱数との間の値の関係がプリセットされた条件を満たしているかどうかを決定する。
【０７２１】
ステップ2005:第1の乱数と第2の乱数との間の値の関係がプリセットされた条件を満たす場合に、第1の利用可能なアップリンク共有リソース上でUEのアップリンクデータを再送する。
【０７２２】
ステップ2006:第1の乱数と第2の乱数との間の値の関係がプリセットされた条件を満たしていない場合に、第1の利用可能なアップリンク共有リソースが存在していれば第1の乱数をランダムに生成するステップを再実行する。
【０７２３】
第1の乱数と第2の乱数との間の値の関係がプリセットされた条件を満たしていない場合に、ステップ2002が再実行される。
【０７２４】
任意選択で、プリセットされた条件は、第1の乱数が第2の乱数よりも大きいか、または第1の乱数が第2の乱数よりも小さいことであってよい。プリセットされた条件は、この実施形態において限定されない。
【０７２５】
アップリンク共有リソース上でUEによってアップリンクデータを再送する回数がNを超える場合、UEは、アップリンク共有リソースを使用することによってアップリンクデータをもはや送信せず、任意選択で、スケジューリングベースの方法を使用することによってアップリンクデータを伝送する。
【０７２６】
結論として、この実施形態において、eNBはそれぞれの対応する第2の乱数をUEに割り振り、UEは第1の利用可能なアップリンク共有リソースが存在するときに第1の乱数をランダムに生成し、第1の乱数と第2の乱数の値を比較することによって、第1の利用可能なアップリンク共有リソース上でアップリンクデータをUEが再送するかどうかが決定され、これにより、複数のUEによって第1の利用可能なアップリンク共有リソース上で実行されるアップリンクデータの再送の間に競合コンフリクトが再発する可能性を減じる。
【０７２７】
図20の実施形態と異なる実装において、図13の実施形態におけるステップ1315、図14の実施形態におけるステップ1416、図16の実施形態におけるステップ1619、図18の実施形態におけるステップ1819、ならびに図19の実施形態におけるステップ1908は、次のステップ2101およびステップ2102と置き換えられてよい。
【０７２８】
ステップ2101:UEが、ランダム・バックオフ・タイムをランダムに生成する。
【０７２９】
ランダム・バックオフ・タイムは、UEに対応する識別子が受信したフィードバック情報に含まれないことをUEが見出した後にランダムに生成される。
【０７３０】
ステップ2102:UEが、ランダム・バックオフ・タイムが満了した後に第1の利用可能なアップリンク共有リソース上でアップリンクデータを再送する。
【０７３１】
第1の利用可能なアップリンク共有リソースは、UEに対応する識別子が受信したフィードバック情報に含まれないことをUEが見出した後にランダムに生成されたランダム・バックオフ・タイムの満了後に出現する第1のアップリンク共有リソースである。
【０７３２】
アップリンク共有リソース上でUEによってアップリンクデータを再送する回数がNを超える場合、UEは、アップリンク共有リソースを使用することによってアップリンクデータをもはや送信せず、任意選択で、スケジューリングベースの方法を使用することによってアップリンクデータを伝送する。
【０７３３】
結論として、この実施形態において、UEは、UEに対応する識別子が受信したフィードバック情報に含まれないことを見出した後にランダム・バックオフ・タイムをランダムに生成し、UEは、ランダム・バックオフ・タイムが満了した後に第1の利用可能なアップリンク共有リソース上でアップリンクデータを再送し、これにより、複数のUEによって第1の利用可能なアップリンク共有リソース上で実行されるアップリンクデータの再送の間に競合コンフリクトが再発する可能性を減じる。
【０７３４】
当業者であれば、実施形態のステップの全部または一部がハードウェアまたは関係するハードウェアに命令するプログラムによって実装され得ることを理解し得る。プログラムは、コンピュータ可読記憶媒体に記憶され得る。記憶媒体は、リードオンリーメモリ、磁気ディスク、光ディスク、等であってよい。
【０７３５】
前述の説明は、本発明の実施形態の例にすぎないが、本発明を限定することは意図されていない。本発明の原理から逸脱することなく行われる変更、同等物の置換、および改善は、本発明の保護範囲内にあるものである。
【符号の説明】
【０７３６】
110  処理モジュール
120  受信モジュール
130  送信モジュール
210  処理モジュール
220  受信モジュール
230  送信モジュール
310  処理モジュール
320  送信モジュール
330  受信モジュール
410  処理モジュール
420  送信モジュール
430  受信モジュール
510  処理モジュール
520  送信モジュール
530  受信モジュール
600  eNB
610  バス
620  プロセッサ
630  メモリ
640  トランシーバ
700  eNB
710  バス
720  プロセッサ
730  メモリ
740  トランシーバ
800  UE
810  バス
820  プロセッサ
830  メモリ
840  トランシーバ
900  UE
910  バス
920  プロセッサ
930  メモリ
940  トランシーバ
1010  eNB
1020  UE
【図１】
0006567760.tif 000111
【図２】
0006567760.tif 000112
【図３】
0006567760.tif 000113
【図４】
0006567760.tif 000114
【図５】
0006567760.tif 000115
【図６】
0006567760.tif 000116
【図７】
0006567760.tif 000117
【図８】
0006567760.tif 000118
【図９】
0006567760.tif 000119
【図１０】
0006567760.tif 000120
【図１１】
0006567760.tif 000121
【図１２】
0006567760.tif 000122
【図１３】
0006567760.tif 000123
【図１４】
0006567760.tif 000124
【図１５】
0006567760.tif 000125
【図１６】
0006567760.tif 000126
【図１７】
0006567760.tif 000127
【図１８】
0006567760.tif 000128
【図１９】
0006567760.tif 000129
【図２０】
0006567760.tif 000130
【図２１】
0006567760.tif 000131